(57)【要約】【課題】擬似ボーナス遊技の遊技性の幅を広げ、残りの遊技数が少なくなったとしても期待感を持続させる。【解決手段】  擬似ボーナス遊技中に、特典付与当選種別に当選した遊技において特典付与当選役の入賞条件となる操作態様が１度も行われなかった場合、所定の遊技特典を付与するか否かを救済リール演出抽選により決定し、リール制御手段は、所定の契機に応じて、複数の回転リールを回転させ（図１５（ｂ））、救済リール演出抽選により所定の遊技特典の付与が決定されたか否かに応じて、複数の回転リールそれぞれに配置された「ＢＡＲ」図柄の組み合わせを図柄表示窓内で規則的に表示する（図１５（ｃ））かまたは表示しない（図１５（ｆ））救済リール演出を行う。【選択図】図１５
2015112163.tif 000002
【特許請求の範囲】
【請求項１】
遊技に関するコマンドを決定し、決定されたコマンドを送信する主制御基板と、
前記主制御基板から前記コマンドを受信し、受信したコマンドに応じて処理を実行する副制御基板と、
を備え、
前記主制御基板と前記副制御基板との前記コマンドを含む情報の交換が、該主制御基板から該副制御基板への一方向のみに制限された遊技機であって、
前記主制御基板は、
遊技に使用するための遊技媒体をベットするベット手段と、
遊技媒体をベットした後、スタートスイッチの操作に基づき、少なくとも小役およびリプレイ役を含む複数種類の当選役から選択された１からなるまたは複数重複してなる複数種類の当選種別のいずれかを当選種別抽選により決定する当選種別抽選手段と、
前記スタートスイッチの操作に応じて、複数種類の図柄がそれぞれ配列された複数の回転リールを回転制御し、回転している回転リールに対応したストップスイッチの操作に応じ、前記当選種別抽選手段の抽選結果に基づいて、操作された該ストップスイッチに対応する回転リールをそれぞれ停止制御するリール制御手段と、
前記当選種別抽選で決定した小役の入賞に基づいて、当該小役に対応する遊技媒体を払い出す払出制御手段と、
前記当選種別抽選手段の抽選結果を示す当選種別コマンドを含む複数のコマンドを決定するコマンド決定手段と、
決定されたコマンドを前記副制御基板に送信するコマンド送信手段と、
を備え、
前記副制御基板は、
前記ストップスイッチに対する複数の操作態様のうちの所定の操作態様である正解操作態様が入賞条件として設定された当選役と他の当選役とが重複した選択当選種別の当選に応じて該正解操作態様を報知する補助演出を含む演出を実行する演出実行手段と、
前記補助演出を行う擬似ボーナス遊技状態を含む複数の遊技状態から１の遊技状態を決定する副遊技状態遷移手段と、
を備え、
前記当選種別抽選手段は、前記複数の回転リールそれぞれに配置された特定の図柄の組み合わせが図柄表示窓内で規則的に表示される停止態様となる図柄組み合わせが少なくとも対応付けられた特典付与当選役と他の当選役とが重複した特典付与当選種別を当選種別抽選により決定し、
前記副遊技状態遷移手段は、前記擬似ボーナス遊技状態を決定した後、該擬似ボーナス遊技状態の開始条件を満たしてから、終了条件を満たすまでの擬似ボーナス遊技状態中に、前記特典付与当選種別の当選に応じて、所定の遊技特典を付与するか否かを遊技特典付与抽選により決定し、
前記擬似ボーナス遊技状態中に、前記当選種別抽選手段が前記遊技特典付与抽選により所定の遊技特典を付与することが決定されると、前記演出実行手段は、前記特典付与当選種別が当選した遊技で、前記特典付与当選役の入賞条件となる操作態様を報知し、
前記選択当選種別に当選した遊技のうち、前記正解操作態様による操作が行われる遊技が所定の回数連続してから、前記正解操作態様による操作が行われない遊技が所定の回数連続するまでの間に、前記特典付与当選種別に当選した遊技において前記特典付与当選役の入賞条件となる操作態様が１度も行われなかった場合、前記所定の遊技特典を付与するか否かを救済リール演出抽選により決定し、前記リール制御手段は、所定の契機に応じて、前記複数の回転リールを回転させ、該救済リール演出抽選により所定の遊技特典の付与が決定されたか否かに応じて、該複数の回転リールそれぞれに配置された前記特定の図柄の組み合わせを前記図柄表示窓内で規則的に表示するかまたは表示しない救済リール演出を行うことを特徴とする遊技機。
【請求項２】
前記演出実行手段は、前記擬似ボーナス遊技状態中に前記救済リール演出が実行されると、該救済リール演出が無効であることを報知することを特徴とする請求項１に記載の遊技機。
【発明の詳細な説明】
【技術分野】
【０００１】
本発明は、遊技者に遊技上の利益を付与するか否かを抽選により決定する遊技機に関する。
【背景技術】
【０００２】
遊技機としてのスロットマシンでは、遊技者によるメダル（遊技媒体）のベットおよびスタートスイッチの操作に応じて、当選役の抽選を行うとともに、種々の図柄が記された複数の回転リールが回転する。そして、抽選結果と遊技者によるストップスイッチの操作に応じて回転リールが順次停止され、払い出しの対象となるラインである有効ライン上に、当選役に対応する図柄組み合わせが表示されると、所定枚数のメダルが払い出されるなど、当選役に応じた遊技上の利益（以下、単に遊技利益という）が遊技者に付与されることとなる。
【０００３】
また、スロットマシンでは、遊技の進行に際し、遊技者の有利度合いを異にする複数の遊技状態が設けられている。例えば、ストップスイッチの操作態様が、複数の操作態様のうちの所定の操作態様であること、すなわち、所定の操作順または所定の操作タイミングあるいはこれらの組み合わせであることが入賞条件として設定された当選役（以下、選択当選役という）に当選したときに、その選択当選役の入賞条件となる操作態様が報知されることで（以下、この報知を単に補助演出という）、当該選択当選役に対応する図柄組み合わせを、遊技者が有効ライン上に容易に表示させることができる、所謂、ＡＴ（アシストタイム）遊技が実行されるＡＴ遊技状態を設けているスロットマシンもある。また、リプレイ役の当選確率を予め高くし、ほぼ毎遊技、上記選択当選役またはリプレイ役が当選するように設定しておき、通常遊技状態では、補助演出を行わないことで遊技者のメダルを減少させ、ＡＴ遊技状態では、補助演出を行うことで当選した選択当選役を入賞させるようにして、遊技者のメダルを増加させる遊技性も取り入れられている。
【０００４】
また、ＡＴ遊技状態において、所定の当選役の当選に応じて、補助演出を実行する遊技数自体を追加する上乗せ抽選を行い、補助演出を実行する遊技数を追加することにより、メダルの獲得機会を増やす技術が開示されている（例えば、特許文献１）。
【０００５】
また、ＡＴ遊技の一部として、通常のＡＴ遊技（以下、通常ＡＴ遊技という）と演出の異なる、ボーナス遊技に見立てた擬似ボーナス遊技が実行される擬似ボーナス遊技状態を設け、遊技性に変化を持たせているスロットマシンもある。かかる擬似ボーナス遊技は、例えば、各回転リールに配置された「７」図柄等のボーナス図柄を直線的に表示させることで開始される。こうして、通常ＡＴ遊技状態、擬似ボーナス遊技状態、および、両遊技状態よりメダルの期待獲得枚数（獲得枚数の理論値）が少ない通常遊技が実行される通常遊技状態との間で遊技状態を遷移させることができる（例えば、特許文献２）。また、近年のスロットマシンでは、擬似ボーナス遊技に当選後、当該擬似ボーナス遊技の開始に対応する当選役の当選に応じ、ボーナス図柄を直線的に表示させて擬似ボーナス遊技を開始させるところ、当該当選役の入賞条件となる操作態様で操作しさえすれば、ボーナス図柄を直線的に表示させることができなかったとしても、擬似ボーナス遊技を開始させ得るのが一般的である。
【先行技術文献】
【特許文献】
【０００６】
【特許文献１】特開２０１２−２００４４４号公報
【特許文献２】特開２０１１−１９４１４６号公報
【発明の概要】
【発明が解決しようとする課題】
【０００７】
また、上述した擬似ボーナス遊技では、遊技特典の付与を抽選により決定する遊技性が取り入れられ、例えば、擬似ボーナス遊技状態に移行する前の遊技状態が通常ＡＴ遊技状態でなければ、通常ＡＴ遊技状態の付与を抽選により決定し、前の遊技状態が通常ＡＴ遊技状態であれば、擬似ボーナス遊技状態から通常ＡＴ遊技状態に戻った際の補助演出を実行する遊技数の追加を抽選により決定する。しかし、当該遊技特典が付与される機会を得られないまま擬似ボーナス遊技状態が進行し、擬似ボーナス遊技状態の残りの遊技数が少なくなると、遊技者の期待感が損なわれ、遊技特典の付与を半ば諦めてしまい遊技が単調になるおそれがある。
【０００８】
本発明は、このような課題に鑑み、擬似ボーナス遊技の遊技性の幅を広げ、残りの遊技数が少なくなったとしても期待感を持続させることが可能な遊技機を提供することを目的としている。
【課題を解決するための手段】
【０００９】
上記課題を解決するために、本発明の遊技機は、遊技に関するコマンドを決定し、決定されたコマンドを送信する主制御基板と、主制御基板からコマンドを受信し、受信したコマンドに応じて処理を実行する副制御基板と、を備え、主制御基板と副制御基板とのコマンドを含む情報の交換が、主制御基板から副制御基板への一方向のみに制限された遊技機であって、主制御基板は、遊技に使用するための遊技媒体をベットするベット手段と、遊技媒体をベットした後、スタートスイッチの操作に基づき、少なくとも小役およびリプレイ役を含む複数種類の当選役から選択された１からなるまたは複数重複してなる複数種類の当選種別のいずれかを当選種別抽選により決定する当選種別抽選手段と、スタートスイッチの操作に応じて、複数種類の図柄がそれぞれ配列された複数の回転リールを回転制御し、回転している回転リールに対応したストップスイッチの操作に応じ、当選種別抽選手段の抽選結果に基づいて、操作されたストップスイッチに対応する回転リールをそれぞれ停止制御するリール制御手段と、当選種別抽選で決定した小役の入賞に基づいて、当該小役に対応する遊技媒体を払い出す払出制御手段と、当選種別抽選手段の抽選結果を示す当選種別コマンドを含む複数のコマンドを決定するコマンド決定手段と、決定されたコマンドを副制御基板に送信するコマンド送信手段と、を備え、副制御基板は、ストップスイッチに対する複数の操作態様のうちの所定の操作態様である正解操作態様が入賞条件として設定された当選役と他の当選役とが重複した選択当選種別の当選に応じて正解操作態様を報知する補助演出を含む演出を実行する演出実行手段と、補助演出を行う擬似ボーナス遊技状態を含む複数の遊技状態から１の遊技状態を決定する副遊技状態遷移手段と、を備え、当選種別抽選手段は、複数の回転リールそれぞれに配置された特定の図柄の組み合わせが図柄表示窓内で規則的に表示される停止態様となる図柄組み合わせが少なくとも対応付けられた特典付与当選役と他の当選役とが重複した特典付与当選種別を当選種別抽選により決定し、副遊技状態遷移手段は、擬似ボーナス遊技状態を決定した後、擬似ボーナス遊技状態の開始条件を満たしてから、終了条件を満たすまでの擬似ボーナス遊技状態中に、特典付与当選種別の当選に応じて、所定の遊技特典を付与するか否かを遊技特典付与抽選により決定し、擬似ボーナス遊技状態中に、当選種別抽選手段が遊技特典付与抽選により所定の遊技特典を付与することが決定されると、演出実行手段は、特典付与当選種別が当選した遊技で、特典付与当選役の入賞条件となる操作態様を報知し、選択当選種別に当選した遊技のうち、正解操作態様による操作が行われる遊技が所定の回数連続してから、正解操作態様による操作が行われない遊技が所定の回数連続するまでの間に、特典付与当選種別に当選した遊技において特典付与当選役の入賞条件となる操作態様が１度も行われなかった場合、所定の遊技特典を付与するか否かを救済リール演出抽選により決定し、リール制御手段は、所定の契機に応じて、複数の回転リールを回転させ、救済リール演出抽選により所定の遊技特典の付与が決定されたか否かに応じて、複数の回転リールそれぞれに配置された特定の図柄の組み合わせを図柄表示窓内で規則的に表示するかまたは表示しない救済リール演出を行うことを特徴とする。
【００１０】
演出実行手段は、擬似ボーナス遊技状態中に救済リール演出が実行されると、救済リール演出が無効であることを報知してもよい。
【発明の効果】
【００１１】
本発明によれば、擬似ボーナス遊技の遊技性の幅を広げ、残りの遊技数が少なくなったとしても期待感を持続させることが可能となる。
【図面の簡単な説明】
【００１２】
【図１】スロットマシンの概略的な機械的構成を説明するための外観図である。
【図２】スロットマシンの概略的な機械的構成を説明するための前面扉を開いた状態での外観図である。
【図３】リールの図柄配列を示す図である。
【図４】スロットマシンの概略的な電気的構成を示したブロック図である。
【図５】有効ラインおよび仮想ラインを説明するための説明図である。
【図６】当選役を説明するための説明図である。
【図７】当選役を説明するための説明図である。
【図８】遊技状態の状態遷移を説明するための説明図である。
【図９】ボーナス成立遊技状態用当選種別抽選テーブルを示す図である。
【図１０】ボーナス非成立遊技状態用当選種別抽選テーブルを示す図である。
【図１１】遊技状態の状態遷移を説明するための説明図である。
【図１２】遊技状態抽選テーブルを示す図である。
【図１３】遊技中の回転リールの動作を示した説明図である。
【図１４】遊技中の回転リールの動作を示した説明図である。
【図１５】遊技中の回転リールの動作を示した説明図である。
【図１６】主制御基板のメイン処理を示したフローチャートである。
【図１７】抽選処理を示したフローチャートである。
【図１８】リール回転処理を示したフローチャートである。
【図１９】リール停止処理を示したフローチャートである。
【図２０】副制御基板のサブ処理を示したフローチャートである。
【図２１】コマンド受信処理を示したフローチャートである。
【図２２】抽選処理を示したフローチャートである。
【図２３】演出決定処理を示したフローチャートである。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
本発明の実施形態の理解を容易にするため、まず、遊技者が遊技可能なスロットマシン（遊技機）の機械的構成および電気的構成を簡単に説明し、その後、スロットマシンの各基板における具体的な処理（役構成や遊技状態の変移）および本実施形態で特徴的な処理を説明し、これらを実現するためのフローチャートを詳述する。
【００１５】
（スロットマシン１００の機械的構成）
図１および図２の外観図に示すように、スロットマシン１００は、略矩形状の箱体である筐体１０２と、筐体１０２の前面開口部に対して回動可能な連結部材により開閉可能に取り付けられた前面上扉１０４と、前面上扉１０４の下方に位置し、前面上扉１０４同様、筐体１０２の前面開口部に対して開閉可能に取り付けられた前面下扉１０６と、前面下扉１０６の下部に位置し、メダル排出口１０８ａから払い出されたメダルを貯留するための受け皿部１０８とを備えている。
【００１６】
前面下扉１０６の上部には操作部設置台１２２が形成され、操作部設置台１２２には、メダル投入部１２４、ベットスイッチ１２６、スタートスイッチ１２８、ストップスイッチ１３０、演出スイッチ１３２等が配設されている。
【００１７】
操作部設置台１２２の右側に位置するメダル投入部１２４は、メダル投入口１２４ａを通じて遊技媒体としてのメダルの投入を受け付け、前面下扉１０６の背面に設けられたメダルセレクタ（図示せず）にメダルを送る。メダルセレクタには、メダルの投入が可能な投入期間外に投入されたメダルや規格外のメダルをメダル排出口１０８ａに導くブロッカー（図示せず）と、投入期間内に投入された規格内のメダルの通過を検出する投入メダル検出部１２４ｂとが設けられている。ここで、メダル排出口１０８ａに導かれたメダルは受け皿部１０８に排出される。遊技者により、１遊技を開始するために必要なメダルの投入数である規定投入数を超えてメダルが投入されると、その規定投入数を超えた分のメダルが、所定枚数（例えば５０枚）を上限としてスロットマシン１００の内部に電気的に貯留（以下、単にクレジットという）される。上記１遊技については後程詳述する。
【００１８】
また、ここでは、規定投入数は「３」または「２」に設定されている。なお、１遊技を開始するために必要なメダル数を、複数の規定投入数から任意に選択できる場合、その複数の規定投入数の中の最大のものを最大規定投入数といい、最小のものを最小規定投入数という。仮に、規定投入数が１〜３の間で選択可能な場合、最大規定投入数は「３」となり、最小規定投入数は「１」となる。ここでは、規定投入数が「３」に固定されているので、最大規定投入数および最小規定投入数は「３」となる。
【００１９】
ベットスイッチ１２６は、クレジットされているメダルのうち規定投入数のメダルを投入（ベット）する、押圧式のボタンスイッチである。規定投入数以上のメダルがクレジットされている状態で、ベットスイッチ１２６を押圧すると、１遊技が開始可能となるとともに、クレジットされているメダルが規定投入数分だけ減枚される。
【００２０】
操作部設置台１２２の左側に位置するスタートスイッチ１２８は、傾倒操作を検出可能なレバーで構成され、遊技者による１遊技の開始操作を検出する。また、スタートスイッチ１２８は、押圧操作を検出可能なボタンスイッチによって構成することも可能である。
【００２１】
前面上扉１０４の下部略中央には、ガラス板や透明樹脂板等で構成された無色透明の図柄表示窓１３６が設けられ、筐体１０２内の図柄表示窓１３６に対応した位置には、リールユニット１３４が設けられている。リールユニット１３４には、図３のリールの図柄配列に示すように、２１に等分された各領域に複数種類の図柄がそれぞれ配列された３つの回転リール（左リール１３４ａ、中リール１３４ｂ、右リール１３４ｃ）が、それぞれ独立して回動可能に設けられ、遊技者は、図柄表示窓１３６を通じて、左リール１３４ａ、中リール１３４ｂ、右リール１３４ｃを視認することができる。リールユニット１３４は、スタートスイッチ１２８の操作を契機として、左リール１３４ａ、中リール１３４ｂ、右リール１３４ｃの回転を開始する。
【００２２】
操作部設置台１２２の中央に位置するストップスイッチ１３０は、左リール１３４ａ、中リール１３４ｂ、右リール１３４ｃそれぞれに対応して設けられた、遊技者の押圧操作を検出可能なボタンスイッチであり、左リール１３４ａ、中リール１３４ｂ、右リール１３４ｃそれぞれを停止させようとする遊技者の停止操作を検出する。なお、ストップスイッチ１３０に係る３つのボタンスイッチを特にストップボタンスイッチとよび、その位置に応じて左から順にストップボタンスイッチ１３０ａ、ストップボタンスイッチ１３０ｂ、ストップボタンスイッチ１３０ｃとする。
【００２３】
演出スイッチ１３２は、押圧式のボタンスイッチと、その周囲に回転自在に配されたジョグダイヤルスイッチとから構成され、遊技者の押圧操作や回転操作を検出する。かかる演出スイッチ１３２は、主として演出中に用いられ、遊技者の操作によって演出態様を異ならせることができる。
【００２４】
前面上扉１０４の上部略中央には、演出に伴う様々な映像を表示する液晶表示部１３８が設けられている。また、前面上扉１０４の上部や左右には、例えば高輝度の発光ダイオード（ＬＥＤ）によって構成される演出用ランプ１４２が設けられる。
【００２５】
また、図２に示すように、前面上扉１０４の裏面における液晶表示部１３８の左右位置や前面下扉１０６の裏面における内面左右位置には、効果音や楽音等による聴覚的な演出を行うスピーカ１４０が設けられている。さらに、筐体１０２内におけるリールユニット１３４の下方には、メダル排出口１０８ａからメダルを払い出すためのメダル払出装置（メダルホッパー）２６４が設けられている。メダル払出装置２６４は、メダルを貯留するメダル貯留部２６４ａと、メダル貯留部２６４ａに貯留されたメダルをメダル排出口１０８ａから排出するための払出制御部２６４ｂと、メダル排出口１０８ａから排出されるメダルを検出する払出メダル検出部２６４ｃとを備えている。具体的に払出制御部２６４ｂは、当該払出制御部２６４ｂの本体外装に回転可能に支持され、メダル貯留部２６４ａから落下したメダルが上方より１枚ずつ嵌入するメダル嵌入孔を円周方向に複数配してなるディスク（図示せず）と、かかるディスクを回転するディスクモータ（図示せず）とを備え、このディスクを回転させて、メダル嵌入孔に嵌入したメダルを、押出機構を通じて１枚ずつ外部に排出するとともに、排出により空いたメダル嵌入孔に次のメダルを順次嵌入させることで、メダルを１枚ずつ連続排出する。
【００２６】
また、図１や図２では図示していないが、各回転リール１３４ａ、１３４ｂ、１３４ｃの内側には、左リール１３４ａ、中リール１３４ｂ、右リール１３４ｃそれぞれに施された図柄のうち、図柄表示窓１３６に対応する（有効ラインの対象となり得る）各回転リール１３４ａ、１３４ｂ、１３４ｃの上段、中段、下段の図柄を背面から個々に独立して照射するリールバックライト１４４（図４参照）が設けられている。また、図柄表示窓１３６の裏面上部にも左リール１３４ａ、中リール１３４ｂ、右リール１３４ｃ全ての正面を直接照射するリール上方ライト１４６が設けられている。
【００２７】
また、図１に示すように、操作部設置台１２２において、図柄表示窓１３６とストップスイッチ１３０との間に設けられた段部１２２ａの略水平面には、メインクレジット表示部１５２およびメイン払出表示部１５４が設けられている。また、図柄表示窓１３６と操作部設置台１２２との間には、サブクレジット表示部１５６およびサブ払出表示部１５８が設けられている。これらメインクレジット表示部１５２およびサブクレジット表示部１５６にはクレジット枚数が表示され、メイン払出表示部１５４およびサブ払出表示部１５８にはメダルの払出枚数が表示される。なお、サブクレジット表示部１５６およびサブ払出表示部１５８には、演出に伴う様々な数値を表示することもできる。
【００２８】
また、筐体１０２内の任意の位置には、電源スイッチ１４８が設けられている。電源スイッチ１４８は、ロッカースイッチ等、押圧操作を検出可能なスイッチで構成され、当該スロットマシン１００を管理する管理者側が操作し、電源の切断状態と電源の投入状態の２つの状態を切り換えるために用いられる。
【００２９】
なお、本実施形態において、上記１遊技は、メダル投入部１２４を通じたメダルの投入、ベットスイッチ１２６の操作を通じたクレジットされているメダルの投入、または、リプレイ役が有効ライン上に表示されたことに基づくメダルの自動投入のいずれかが行われてから、遊技者によるスタートスイッチ１２８の操作に応じて、複数の回転リール１３４ａ、１３４ｂ、１３４ｃが回転制御されるとともに当選種別抽選が実行され、当選種別抽選の抽選結果および遊技者による複数のストップボタンスイッチ１３０ａ、１３０ｂ、１３０ｃの操作に応じて、操作されたストップボタンスイッチ１３０ａ、１３０ｂ、１３０ｃに対応する回転リール１３４ａ、１３４ｂ、１３４ｃがそれぞれ停止制御され、メダルの払い出しを受け得る当選種別に入賞した場合、そのメダルの払い出しが実行されるまでの遊技をいう。また、メダルの払い出しを受け得る当選種別に非当選であった場合または当選したが入賞しなかった場合、回転リール１３４ａ、１３４ｂ、１３４ｃが全て停止したことをもって１遊技が終了する。ただし、１遊技の開始を、上記のメダルの投入、または、リプレイ役の当選の代わりに、遊技者によるスタートスイッチ１２８の操作と読み替えてもよい。また、かかる１遊技が繰り返された数を遊技数とする。
【００３０】
（スロットマシン１００の電気的構成）
図４は、スロットマシン１００の概略的な電気的構成を示したブロック図である。図４に示すように、スロットマシン１００は、主として、主制御基板２００と、副制御基板２０２とによって制御されている。ここでは、遊技の進行に関わるプログラムのうち、遊技に供する当選役の抽選やその入賞といったような、特に重要な処理を主制御基板２００で実行し、それ以外の例えば演出に関する処理を副制御基板２０２で実行している。また、図４に示したように、主制御基板２００と副制御基板２０２との間の電気的な信号の伝達は、不正防止等の観点から、主制御基板２００から副制御基板２０２への一方向のみに制限される。ただし、このような制限がなければ、電気的に双方向通信も技術的に可能である。
【００３１】
（主制御基板２００）
主制御基板２００は、中央処理装置であるメインＣＰＵ２００ａ、プログラム等が格納されたメインＲＯＭ２００ｂ、ワークエリアとして機能するメインＲＡＭ２００ｃ等を含む各種半導体集積回路を有し、スロットマシン１００全体を統括的に制御する。ただし、メインＲＡＭ２００ｃには不図示のバックアップ電源が接続されており、電源が切断された場合においても、意図的にメインＲＡＭ２００ｃの初期化処理を実行しない限り、データが消去されることなく保持される。
【００３２】
また、主制御基板２００は、メインＣＰＵ２００ａが、メインＲＯＭ２００ｂに格納されたプログラムに基づきメインＲＡＭ２００ｃと協働することで機能する、初期化手段３００、ベット手段３０２、当選種別抽選手段３０４、リール制御手段３０６、判定手段３０８、払出制御手段３１０、主遊技状態遷移手段３１２、コマンド決定手段３１４、コマンド送信手段３１６、外部出力手段３１８等の機能部を有する。
【００３３】
初期化手段３００は、主制御基板２００における初期化処理を実行する。ベット手段３０２は、遊技に使用するためのメダルをベットする。ここで、ベットは、ベットスイッチ１２６の操作を通じてクレジットされているメダルを投入する場合と、メダル投入部１２４を通じてメダルを投入する場合と、リプレイ役が有効ライン上に表示されたことに基づいてメダルを自動投入する場合のいずれも含む。当選種別抽選手段３０４は、メダルのベットおよびスタートスイッチ１２８の操作に基づき、小役、リプレイ役、および、ボーナス役を含む複数種類の当選役から選択された１からなるまたは複数重複してなる複数種類の当選種別、ならびに、ハズレのうちいずれかを当選種別抽選により決定する。
【００３４】
リール制御手段３０６は、スタートスイッチ１２８の操作に応じて、複数の回転リール１３４ａ、１３４ｂ、１３４ｃを回転制御し、回転している回転リール１３４ａ、１３４ｂ、１３４ｃにそれぞれ対応した複数のストップボタンスイッチ１３０ａ、１３０ｂ、１３０ｃの操作に応じ、操作されたストップボタンスイッチ１３０ａ、１３０ｂ、１３０ｃに対応する回転リール１３４ａ、１３４ｂ、１３４ｃをそれぞれ停止制御する。また、リール制御手段３０６は、スタートスイッチ１２８の操作に応じて、当選種別抽選によって当選種別が決定されてから、当選種別抽選の抽選結果を表示するために遊技者によるストップスイッチ１３０の操作を有効化するまで（前回の遊技におけるストップスイッチ１３０の操作完了により無効化されている）の時間を規定の時間より延長し、その間、回転リール１３４ａ、１３４ｂ、１３４ｃを多彩な態様で回転させるリール演出（フリーズ演出）を行う場合がある。リール演出は、本来有効となるべき任意のスイッチを所定時間有効にしなかったり、本来実行されるべき処理を所定時間保留したり、本来送受信されるべき任意のスイッチの信号を所定時間送信または受信させなかったりすることで実現できる。
【００３５】
判定手段３０８は、当選種別抽選で決定した当選種別を構成するいずれか１の当選役に対応する図柄組み合わせが有効ライン上に表示されたか否か判定する。以下、当選種別抽選で決定した当選種別を構成するいずれか１の当選役に対応する図柄組み合わせが有効ライン上に表示されることを単に入賞という場合がある。払出制御手段３１０は、当選種別抽選で決定した当選種別を構成するいずれか１の当選役に対応する図柄組み合わせが有効ライン上に表示されたこと（入賞されたこと）に基づいて、当該当選役に対応する数だけメダルを払い出す。主遊技状態遷移手段３１２は、ボーナス役の当選や入賞に基づいて、主制御基板２００で管理する遊技状態を遷移させる。
【００３６】
コマンド決定手段３１４は、ベット手段３０２、当選種別抽選手段３０４、リール制御手段３０６、判定手段３０８、払出制御手段３１０、主遊技状態遷移手段３１２等の動作に伴う、遊技に関するコマンドを順次決定する。コマンド送信手段３１６は、コマンド決定手段３１４が決定したコマンドを副制御基板２０２に順次送信する。外部出力手段３１８は、スロットマシン１００の内部の状態を、信号（外部信号）を通じて外部に出力する。
【００３７】
主制御基板２００では、投入メダル検出部１２４ｂ、ベットスイッチ１２６、スタートスイッチ１２８およびストップスイッチ１３０から各種の検出信号を受信しており、受信した検出信号に基づいて、メインＣＰＵ２００ａが種々の処理を実行する。また、主制御基板２００には、メインクレジット表示部１５２およびメイン払出表示部１５４が接続されており、払出制御手段３１０が両表示部１５２、１５４に対してメダルのクレジット枚数や払出枚数の表示を制御する。
【００３８】
また、主制御基板２００には、リール駆動制御部２５８が接続されている。このリール駆動制御部２５８は、スタートスイッチ１２８の操作信号に基づき主制御基板２００から送信される各回転リール１３４ａ、１３４ｂ、１３４ｃの回転開始信号に基づいて、ステッピングモータ２６２を駆動するとともに、ストップスイッチ１３０の操作信号に基づき主制御基板２００から送信される、左リール１３４ａ、中リール１３４ｂ、右リール１３４ｃそれぞれの停止信号および回転位置検出回路２６０の検出信号に基づいて、ステッピングモータ２６２の駆動を停止する。
【００３９】
また、主制御基板２００には、メダル払出装置２６４が接続されている。主制御基板２００には払出メダル検出部２６４ｃの検出信号が入力されるようになっており、払出制御手段３１０は、その検出信号に応じてメダルの払出枚数を計数しながら払出制御部２６４ｂからのメダルの排出を制御する。
【００４０】
また、主制御基板２００には、乱数発生器２００ｄが設けられる。乱数発生器２００ｄは、計数値を順次インクリメントし、所定の数値範囲内でループさせ、所定の時点における計数値を抽出することで乱数を得る。主制御基板２００の乱数発生器２００ｄによって生成される乱数（以下、当選種別抽選乱数という）は、遊技者に付与する遊技利益、例えば、当選種別を決定するために用いられる。
【００４１】
（主制御基板２００で用いられるテーブル）
スロットマシン１００においては、遊技の進行に際して複数の遊技状態が設けられており、かかる遊技状態に対応する複数の当選種別抽選テーブル等がメインＲＯＭ２００ｂに格納されている。当選種別抽選手段３０４は、メインＲＡＭ２００ｃに記憶された現在の設定値（遊技利益を得る容易性を段階的に示したもの）と遊技状態に応じて、対応する当選種別抽選テーブルをメインＲＯＭ２００ｂから抽出し、抽出した当選種別抽選テーブルに基づき、スタートスイッチ１２８の操作信号に応じて取得された当選種別抽選乱数が当選種別抽選テーブル内のいずれの当選種別またはハズレに対応するか判定する。
【００４２】
ここで、当選種別抽選テーブルで抽出される当選種別を構成する当選役には、リプレイ役、小役、ボーナス役がある。このような当選役に対応する図柄組み合わせが、有効ライン上に揃った状態を表示（入賞）といい、当選役を含む当選種別に当選し、その当選役に対応する図柄組み合わせが表示されるまでの状態を内部当選状態とする。当選役のうちのリプレイ役は、そのリプレイ役に対応する図柄組み合わせが有効ライン上に表示されると、遊技者によるメダルの新たなるベットを行わずして再度１遊技を実行できる役であり、小役は、その小役に対応する図柄組み合わせが有効ライン上に表示されることにより、図柄組み合わせに応じて所定枚数のメダルの払い出しを受けることができる役である。また、ボーナス役は、そのボーナス役に対応する図柄組み合わせが有効ライン上に表示されることにより、遊技状態をボーナス遊技状態に移行させることができる当選役である。以下に、当選役および遊技者に付与される遊技利益について説明する。
【００４３】
図５は、有効ラインおよび仮想ラインを説明するための説明図であり、図６および図７は、当選役を説明するための説明図であり、図８は、遊技状態の状態遷移を説明するための説明図である。
【００４４】
図５（ａ）は、本実施形態における有効ラインを示している。本実施形態において、有効ラインは１本であり、具体的に、図柄表示窓１３６に臨む９つの図柄（３リール×上中下の３段）のうち、左リール１３４ａ、中リール１３４ｂ、右リール１３４ｃのそれぞれ中段に停止する図柄に対応する位置を結んだラインを有効ラインＡとして設定している。また、図５（ｂ）は、仮想ラインを示している。仮想ラインは、有効ラインＡ上に表示された図柄組み合わせのみでは当選役を把握しにくい場合に、当選役の把握を容易にする他の図柄組み合わせを表示するラインであり、本実施形態では、４つの仮想ラインを想定している。具体的に、左リール１３４ａの上段、中リール１３４ｂの上段、右リール１３４ｃの上段に停止する図柄に対応する位置を結んだラインを仮想ラインＢ１、左リール１３４ａの下段、中リール１３４ｂの下段、右リール１３４ｃの下段に停止する図柄に対応する位置を結んだラインを仮想ラインＢ２、左リール１３４ａの上段、中リール１３４ｂの中段、右リール１３４ｃの下段に停止する図柄に対応する位置を結んだラインを仮想ラインＣ１、左リール１３４ａの下段、中リール１３４ｂの中段、右リール１３４ｃの上段に停止する図柄に対応する位置を結んだラインを仮想ラインＣ２として設定している。ただし、仮想ラインＢ１、Ｂ２、Ｃ１、Ｃ２は、見かけ上、図柄が直線的に表示されるというだけで、あくまで当選役の入賞を判定するのは有効ラインＡのみである。
【００４５】
また、本実施形態においては、当選役として、図６に示すように、当選役「通常リプレイ」、「特殊リプレイ１」、「特殊リプレイ２」、「ビッグリプレイ」、「レギュラーリプレイ」（以下、かかる５つのリプレイを単に当選役「リプレイ」と略す場合がある）、「チェリー」、「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」（以下、当選役「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」の１５個のベルを単に当選役「ベル」と略す場合がある）、「ビッグボーナス（以下、ＢＢという）」が設けられている。このうち、当選役「通常リプレイ」、「特殊リプレイ１」、「特殊リプレイ２」、「ビッグリプレイ」、「レギュラーリプレイ」が上記リプレイ役に相当し、当選役「チェリー」、「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」が上記小役に相当し、当選役「ＢＢ」が上記ボーナス役に相当する。
【００４６】
（リプレイ役）
当選種別抽選の結果、当選役「リプレイ」（当選役「通常リプレイ」、「特殊リプレイ１」、「特殊リプレイ２」、「ビッグリプレイ」、「レギュラーリプレイ」のいずれか）が含まれる当選種別に当選し、入賞条件となる操作態様(ここでは操作順)で操作した場合には、その当選役に対応する１または複数の図柄組み合わせのうち、各回転リール１３４ａ、１３４ｂ、１３４ｃそれぞれに記される図柄が有効ラインＡ上に表示可能となり、上記したように、遊技者によるベットを行わずして再度１遊技を実行できる。例えば、当選種別抽選の結果、当選役「通常リプレイ」が含まれる当選種別に当選し、入賞条件となる操作態様で操作した場合には、図６に示した当選役「通常リプレイ」に対応する図柄組み合わせのうち、各回転リール１３４ａ、１３４ｂ、１３４ｃそれぞれに記される「リプレイＡ」図柄が、図７（ａ）のように有効ラインＡ上に表示可能となる。また、当選役「特殊リプレイ１」が含まれる当選種別に当選し、入賞条件となる操作態様で操作した場合には、図６に示した当選役「特殊リプレイ１」に対応する複数の図柄組み合わせのうち、例えば、図７（ｂ）のように、中リール１３４ｂに記される「ＢＡＲ」図柄が有効ラインＡ上に表示可能となり、右リール１３４ｃに記される「ＢＡＲ」図柄が有効ラインＡ上に表示可能となる。また、当選役「特殊リプレイ１」の左リール１３４ａの図柄は「ＡＮＹ」となっているので、有効ラインＡ上に表示される図柄がいずれであっても、当選役「特殊リプレイ１」の入賞に影響を及ぼさない。図７（ｂ）の例では、左リール１３４ａに記される「ＢＡＲ」図柄が有効ラインＡ上に表示され、有効ラインＡ上と仮想ラインＣ１上の両ラインに「ＢＡＲ」図柄が直線的に表示されている。また、当選役「特殊リプレイ２」が含まれる当選種別に当選し、入賞条件となる操作態様で操作した場合には、図６に示した当選役「特殊リプレイ２」に対応する複数の図柄組み合わせのうち、例えば、図７（ｃ）のように、左リール１３４ａに記される「ＢＡＲ」図柄が有効ラインＡ上に表示可能となり、中リール１３４ｂに記される「ベル」図柄が有効ラインＡ上に表示可能となり、右リール１３４ｃに記される「ＢＡＲ」図柄が有効ラインＡ上に表示可能となる。当選役「特殊リプレイ２」が含まれる当選種別に当選し、入賞条件となる操作態様で操作した場合、遊技者は、まず、右リール１３４ｃおよび左リール１３４ａに記される「ＢＡＲ」図柄を有効ラインＡ上に表示させ、その後、中リール１３４ｂに記される「ＢＡＲ」図柄を有効ラインＡ上に表示させれば当選役「特殊リプレイ１」の入賞可能性がある状況下で、「ＢＡＲ」図柄を狙っても、有効ラインＡ上に「ベル」図柄しか表示させることができない。
【００４７】
また、当選役「ビッグリプレイ」が含まれる当選種別に当選し、入賞条件となる操作態様で操作した場合に、図６に示した当選役「ビッグリプレイ」に対応する複数の図柄組み合わせのうち、例えば、ストップスイッチ１３０が押圧操作されたときに各回転リール１３４ａ、１３４ｂ、１３４ｃそれぞれに記される「赤７」図柄が引き込み範囲内に存在していれば、図７（ｄ）のように、各回転リール１３４ａ、１３４ｂ、１３４ｃそれぞれに記される「赤７」図柄が有効ラインＡ上に表示可能となる。このように有効ラインＡ上に「赤７」図柄が直線的に表示されることで、遊技者は、当選役「ビッグリプレイ」が含まれる当選種別に当選したことを容易に把握できる。また、当選役「レギュラーリプレイ」が含まれる当選種別に当選し、入賞条件となる操作態様で操作した場合には、図６に示した当選役「レギュラーリプレイ」に対応する複数の図柄組み合わせのうち、例えば、図７（ｅ）のように、左リール１３４ａに記される「リプレイＡ」図柄が有効ラインＡ上に表示可能となり、中リール１３４ｂに記される「赤７」図柄が有効ラインＡ上に表示可能となり、右リール１３４ｃに記される「赤７」図柄が有効ラインＡ上に表示可能となる。当選役「レギュラーリプレイ」が含まれる当選種別に当選し、入賞条件となる操作態様で操作した場合、例えば、遊技者は、まず、中リール１３４ｂおよび右リール１３４ｃに記される「赤７」図柄を有効ラインＡ上に表示させ、その後、左リール１３４ａに記される「赤７」図柄を有効ラインＡ上に表示させれば当選役「ビッグリプレイ」の入賞可能性がある状況下で、「赤７」図柄を狙っても、有効ラインＡ上に「リプレイＡ」図柄しか表示させることができない。図７（ｅ）の例では、有効ラインＡ上に表示された図柄組み合わせが「リプレイＡ」、「赤７」、「赤７」となっているが、仮想ラインＣ２上に表示された図柄組み合わせは「赤７」、「赤７」、「白７」となり、遊技者は、当選役「レギュラーリプレイ」が含まれる当選種別に当選したことを把握することとなる。
【００４８】
ここで、本実施形態においては、遊技者によってストップスイッチ１３０が押圧操作されたときに、当選役に対応する図柄組み合わせを構成する図柄が有効ラインＡ上にある場合には、リール制御手段３０６によって、当該図柄が有効ラインＡ上に停止するように停止制御がなされる。また、ストップスイッチ１３０が押圧操作されたときに、当選役に対応する図柄組み合わせを構成する図柄が、有効ラインＡ上にはないが、各回転リール１３４ａ、１３４ｂ、１３４ｃの回転方向と反対の方向の図柄４つ分に相当する範囲（引込範囲）内に存在している場合には、リール制御手段３０６によって、離れている図柄数が滑りコマ数となり、当該当選役に対応する図柄組み合わせを構成する図柄を有効ラインＡ上に引き込むように滑りコマ数分回転を維持した後に停止するように停止制御がなされる。また、当選役に対応する図柄が各回転リール１３４ａ、１３４ｂ、１３４ｃ中に複数あり、いずれも各回転リール１３４ａ、１３４ｂ、１３４ｃの引込範囲内に存在している場合には、予め定められた優先順位に従っていずれの図柄を有効ラインＡ上に引き込むか決定され、当該優先された図柄を有効ラインＡ上に引き込むように滑りコマ数分回転を維持した後に停止するように停止制御がなされる。このように、単に「停止制御」や「表示可能」と言った場合、当選役に対応する図柄組み合わせを構成する図柄を停止させるのみならず、引込範囲内で当選役に対応する図柄組み合わせを構成する図柄を引き込んで停止するといった処理を含む。なお、ストップスイッチ１３０が押圧操作されたときに、当選役に対応する図柄組み合わせを構成する図柄以外の図柄が有効ラインＡ上にある場合には、リール制御手段３０６によって、その図柄を有効ラインＡ上に停止させないようにする、所謂蹴飛ばし処理も並行して実行される。また、後述するように、当選種別を構成する当選役に操作態様（操作順や操作タイミング）が入賞条件として設定されている場合、リール制御手段３０６は、遊技者の操作態様にも応じて当選役に対応する図柄組み合わせを有効ラインＡ上に表示可能に停止制御する。
【００４９】
そして、各回転リール１３４ａ、１３４ｂ、１３４ｃにおいては、当選役「リプレイ」に対応する１または複数の図柄組み合わせを構成する１または複数の図柄が、上記の停止制御によって、必ず有効ラインＡ上に表示可能なように配置されている（図３および図６参照）。例えば、当選役「通常リプレイ」に対応する図柄組み合わせを構成する１または複数の図柄同士は、各回転リール１３４ａ、１３４ｂ、１３４ｃ内で最大図柄４つ分しか離隔していないので、停止制御によって必ず有効ラインＡ上に表示することができる。このように、当選役「リプレイ」が含まれる当選種別に当選し、入賞条件となる操作態様で操作した場合には、これら当選役「リプレイ」に対応するいずれかの図柄組み合わせが、必ず、有効ラインＡ上に表示されることとなる。このようにして、当選役「リプレイ」に対応する図柄組み合わせが有効ラインＡ上に表示された場合には、メダルを投入することなく次回の１遊技を開始することが可能となる。
【００５０】
なお、詳しくは後述するが、当選役「リプレイ」が含まれる当選種別に当選した場合の停止制御は、その当選態様（例えば、当選役「通常リプレイ」が単独で当選したか、他の当選役（例えば、当選役「ビッグリプレイ」）と重複当選したか、さらには他のいずれかの当選役と重複当選したか等）によって異なるように設定されている。したがって、その当選態様および操作態様に応じて、重複当選した当選役「リプレイ」（当選役「通常リプレイ」、「特殊リプレイ１」、「特殊リプレイ２」、「ビッグリプレイ」、「レギュラーリプレイ」）のいずれかの当選役に対応する図柄組み合わせが有効ラインＡ上に表示されることとなる。
【００５１】
なお、上述したように、当選役「ビッグリプレイ」や当選役「レギュラーリプレイ」が含まれる当選種別が当選した場合には、これら当選役に対応するいずれかの図柄組み合わせが、必ず、有効ラインＡ上に表示されることとなる。ただし、図３を参照して理解できるように、「赤７」図柄や「白７」図柄は、各回転リール１３４ａ、１３４ｂ、１３４ｃに１つずつしか配置されていないので、当選役「ビッグリプレイ」や当選役「レギュラーリプレイ」に対応する複数の図柄組み合わせのうち１の図柄組み合わせが有効ラインＡ上に表示された場合に、有効ラインＡまたは仮想ラインＢ１、Ｂ２、Ｃ１、Ｃ２上に「赤７」図柄や「白７」図柄が停止するとは限らない。すなわち、当選役「ビッグリプレイ」や当選役「レギュラーリプレイ」が含まれる当選種別が当選した場合に、入賞条件となる操作順で操作したとしても、ストップスイッチ１３０を無作為な位置で停止操作すると、「赤７」図柄や「白７」図柄が有効ラインＡまたは仮想ラインＢ１、Ｂ２、Ｃ１、Ｃ２上に表示されない場合があり、入賞した当選役が、当選役「ビッグリプレイ」や当選役「レギュラーリプレイ」であることを容易に把握できない場合がある。
【００５２】
（小役）
また、当選種別抽選の結果、当選役「チェリー」が含まれる当選種別「チェリー」に当選した場合には、図６に示した、当選役「チェリー」に対応する図柄組み合わせのうち、例えば、図７（ｆ）のように、左リール１３４ａに記される「白７」図柄が有効ラインＡ上に表示可能となり、中リール１３４ｂに記される「チェリー」図柄が有効ラインＡ上に表示可能となる。また、右リール１３４ｃについては「ＡＮＹ」となっているので、いずれの図柄が有効ラインＡ上に表示されてもよい。図７（ｆ）の例では、有効ラインＡ上に表示された図柄組み合わせは「白７」、「チェリー」、「リプレイＡ」となっているが、仮想ラインＣ２上に表示された図柄組み合わせは「チェリー」、「チェリー」、「スイカＡ」となっており、遊技者は、当選役「チェリー」が含まれる当選種別「チェリー」に当選したことを容易に把握できる。ただし、各回転リール１３４ａ、１３４ｂ、１３４ｃにおいては、当選役「チェリー」に対応する図柄組み合わせを構成する図柄が、上記の停止制御によっても、有効ラインＡ上に表示されない場合があるように配置されている。そのため、当選役「チェリー」が含まれる当選種別「チェリー」に当選したとしても、所謂取りこぼしが生じることがあり、遊技者は、当選役「チェリー」に対応する図柄組み合わせを必ずしも有効ラインＡ上に表示させられるとは限らない。
【００５３】
当選種別抽選の結果、当選役「ベル」（当選役「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」、「特殊ベル９」、「特殊ベル１０」、「特殊ベル１１」、「特殊ベル１２」、「特殊ベル１３」のいずれか）が含まれる当選種別に当選した場合には、その当選役に対応する１または複数の図柄組み合わせのうち、各回転リール１３４ａ、１３４ｂ、１３４ｃそれぞれに記される１または複数の図柄が有効ラインＡ上に表示可能となり、当選役「ベル」に対応する図柄組み合わせが有効ラインＡ上に表示された場合には、各当選役に対応した枚数のメダルが遊技者に払い出される。例えば、当選種別抽選の結果、当選役「通常ベル」が含まれる当選種別に当選し、入賞条件（後述する当選役「通常ベル」に対応付けられた操作順での操作）を満たした場合には、当選役「通常ベル」に対応する図柄組み合わせのうち、図６に示した、各回転リール１３４ａ、１３４ｂ、１３４ｃそれぞれに記される「ベル」図柄が、図７（ｇ）のように有効ラインＡ上に表示可能となる。また、当選種別抽選の結果、当選役「共通ベル」が含まれる当選種別に当選した場合には、図６に示した、当選役「共通ベル」に対応する図柄組み合わせのうち、例えば、図７（ｈ）のように、左リール１３４ａに記される「リプレイＡ」図柄が有効ラインＡ上に表示可能となり、中リール１３４ｂに記される「ベル」図柄が有効ラインＡ上に表示可能となり、右リール１３４ｃに記される「チェリー」図柄が有効ラインＡ上に表示可能となる。図７（ｈ）の例では、有効ラインＡ上に表示された図柄組み合わせは「リプレイＡ」、「ベル」、「チェリー」となっているが、仮想ラインＣ１上に表示された図柄組み合わせは「ベル」、「ベル」、「ベル」となっており、遊技者は、当選役「共通ベル」が含まれる当選種別に当選したことを容易に把握できる。ここで、当選役「通常ベル」および当選役「共通ベル」に対応する図柄組み合わせを構成する１または複数の図柄同士は、各回転リール１３４ａ、１３４ｂ、１３４ｃ内で最大図柄４つ分しか離隔していないので、上記の停止制御によって、必ず有効ラインＡ上に表示可能なように配置されている（図３および図６参照）。ただし、当選役「通常ベル」は、当選役「共通ベル」より、払出枚数が多くなるように設定されている（例えば、当選役「通常ベル」＝９枚、当選役「共通ベル」＝１枚）。
【００５４】
また、当選役「特殊ベル１」〜「特殊ベル１３」が含まれる当選種別に当選し、特定の条件（当選役「特殊ベル１」〜「特殊ベル１３」に対応付けられた操作順での操作）を満たした場合には、図６に示した、当選役「特殊ベル１」〜「特殊ベル１３」に対応する複数の図柄組み合わせのうち、例えば、「特殊ベル１」に対応する図柄組み合わせを例に挙げると、図７（ｉ）のように、左リール１３４ａに記される「スイカＡ」図柄が有効ラインＡ上に表示可能となり、中リール１３４ｂに記される「ベル」図柄が有効ラインＡ上に表示可能となり、右リール１３４ｃに記される「リプレイＡ」図柄が有効ラインＡ上に表示可能となる。各回転リール１３４ａ、１３４ｂ、１３４ｃにおいては、当選役「特殊ベル１」に対応する複数の図柄組み合わせを構成する１または複数の図柄が、上記の停止制御によって、必ず有効ラインＡ上に表示可能なように配置されている（図３および図６参照）。したがって、当選役「特殊ベル１」が含まれる当選種別に当選し、特定の条件（当選役「特殊ベル１」に対応付けられた操作順での操作）を満たした場合には、当選役「特殊ベル１」に対応するいずれかの図柄組み合わせが、必ず、有効ラインＡ上に表示されることとなる。
【００５５】
また、当選役「特殊ベル２」〜「特殊ベル１３」に対応する複数の図柄組み合わせのうち、当選役「特殊ベル２」に対応する図柄組み合わせを例に挙げると、図６に示すように、かかる図柄組み合わせを構成する左リール１３４ａの図柄は「赤７」または「スイカＢ」であり、中リール１３４ｂの図柄は、「赤７」または「リプレイＡ」であり、右リール１３４ｃの図柄は「ベル」である。したがって、左リール１３４ａについては、図３における２１図柄のうち図柄番号３から１１までの間といった図柄９つ分に相当する範囲で停止制御が実行されれば「赤７」または「スイカＢ」図柄を有効ラインＡ上に表示させることができる。また、中リール１３４ｂについては、図３における２１図柄のうち図柄番号１から１１までの間または図柄番号２１といった図柄１２個分に相当する範囲で停止制御が実行されれば「赤７」または「リプレイＡ」図柄を有効ラインＡ上に表示させることができる。また、右リール１３４ｃについては、上記の停止制御により、「ベル」図柄が必ず有効ラインＡ上に表示可能なように配置されている。したがって、例えば、上記の当選役「特殊ベル２」が含まれる当選種別に当選した場合において、遊技者が無作為に操作した場合に当選役「特殊ベル２」に対応するいずれかの図柄組み合わせを有効ラインＡ上に表示させることができる確率は、約１／４（９／２１×１２／２１×２１／２１）となる。同様の計算により、当選役「特殊ベル３」〜「特殊ベル５」に対応する図柄組み合わせを有効ラインＡ上に表示させることができる確率は約１／４となり、当選役「特殊ベル６」〜「特殊ベル１３」に対応する図柄組み合わせを有効ラインＡ上に表示させることができる確率は約１／８となる。したがって、遊技者は、当選役「特殊ベル２」〜「特殊ベル１３」に対応する図柄組み合わせを必ずしも有効ラインＡ上に表示させられるとは限らない。
【００５６】
また、当選役「特殊ベル１」〜「特殊ベル１３」は、当選役「通常ベル」より、払出枚数が少なく設定されている（例えば、当選役「通常ベル」＝９枚、当選役「特殊ベル１」〜「特殊ベル１３」＝１枚）。したがって、後述するようにストップボタンスイッチ１３０ａ、１３０ｂ、１３０ｃの操作が制限されて、例えば、当選役「特殊ベル６」〜「特殊ベル１３」のいずれかに対応する図柄組み合わせしか有効ラインＡ上に表示させることができない場合、すなわち、その操作の下では当選役「特殊ベル６」〜「特殊ベル１３」しか入賞しない場合、規定投入数「３」に対して最大１枚の払出枚数（期待獲得枚数は１／８枚）しか得ることができず、遊技の進行に応じてメダルは減ることとなる。一方で、ストップボタンスイッチ１３０ａ、１３０ｂ、１３０ｃの操作が制限されることなく補助演出が実行されると、当選役「通常ベル」に対応する図柄組み合わせを有効ラインＡ上に表示させることができるので、規定投入数「３」に対して９枚の払出枚数を得る遊技を実現でき、当選役「通常ベル」の当選確率を高めることで遊技の進行に応じてメダルを増やすことができる。
【００５７】
なお、詳しくは後述するが、本実施形態においては、当選役「通常ベル」が単独で当選することがなく、必ず他の当選役（例えば、当選役「特殊ベル１」および当選役「特殊ベル６」）と重複当選するので、その重複当選の当選態様によって停止制御が異なるように設定されている。したがって、各回転リール１３４ａ、１３４ｂ、１３４ｃにおいては、「ベル」図柄が、必ず有効ラインＡ上に表示可能なように配置されている（図３および図６参照）ものの、当選役「通常ベル」が含まれる当選種別に当選しても、その当選態様によっては、取りこぼすことがあり、遊技者は、当選役「通常ベル」に対応する図柄組み合わせを必ずしも有効ラインＡ上に表示させられるとは限らない。
【００５８】
（ボーナス役）
また、当選種別抽選の結果、当選役「ＢＢ」が含まれる当選種別「ＢＢ」に当選した場合には、図６に示した、当選役「ＢＢ」に対応する図柄組み合わせである、図７（ｊ）のように、左リール１３４ａに記される「ＢＡＲ」図柄が有効ラインＡ上に表示可能となり、中リール１３４ｂに記される「ＢＡＲ」図柄が有効ラインＡ上に表示可能となり、右リール１３４ｃに記される「チェリー」図柄が有効ラインＡ上に表示可能となる。そして、当選役「ＢＢ」に対応する図柄組み合わせが有効ラインＡ上に表示されると、ボーナス遊技フラグがＯＮすることで、遊技状態がボーナス遊技状態に設定され、次の１遊技（以下、単に次遊技という）以降、メダルが所定枚数（例えば２６枚）払い出されるまで、ボーナス遊技状態にて遊技を実行することが可能となる。なお、各回転リール１３４ａ、１３４ｂ、１３４ｃにおいては、それぞれ「ＢＡＲ」、「ＢＡＲ」、「チェリー」図柄が、上記の停止制御によっても、有効ラインＡ上に表示されない場合があるように配置されている（図３および図６参照）。そのため、当選役「ＢＢ」が含まれる当選種別「ＢＢ」に当選したとしても、遊技者は、当選役「ＢＢ」に対応する図柄組み合わせを必ずしも有効ラインＡ上に表示させられるとは限らない。
【００５９】
なお、いずれかの当選種別に当選すると、それぞれの当選種別に対応する内部当選フラグが成立（ＯＮ）するとともに、この内部当選フラグの成立状況に応じて、左リール１３４ａ、中リール１３４ｂ、右リール１３４ｃそれぞれの停止制御がなされることとなる。このとき、小役が含まれる当選種別に当選したものの、これら当選役に対応する図柄組み合わせを、その１遊技で有効ラインＡ上に表示させることができなかった場合には、当該遊技において内部当選フラグがＯＦＦされる。つまり、小役の当選の権利は小役が含まれる当選種別が当選した当該遊技のみに限られ、当該権利を次遊技に持ち越すことはできない。これに対して、当選役「ＢＢ」（ボーナス役）が含まれる当選種別「ＢＢ」に当選した場合には、ＢＢ内部当選フラグが成立（ＯＮ）するとともに、当選役「ＢＢ」に対応する図柄組み合わせが有効ラインＡ上に表示されるまで、ＢＢ内部当選フラグが遊技を跨いで持ち越される。
【００６０】
主制御基板２００で管理している遊技状態の遷移と合わせて具体的に説明すると、ＢＢ内部当選フラグが成立すると、ＢＢ内部当選フラグの成立状況に応じて、図８の（１）に示すように、主制御基板２００で管理している遊技状態が、ボーナス役が含まれる当選種別「ＢＢ」に当選していないボーナス非成立遊技状態から、ボーナス遊技状態の準備状態に相当するボーナス成立遊技状態となり、ボーナス成立遊技状態に基づいて左リール１３４ａ、中リール１３４ｂ、右リール１３４ｃそれぞれの停止制御がなされる。このとき、当選役「ＢＢ」に対応する図柄組み合わせを有効ラインＡ上に表示させることができなかった場合には、そのままＢＢ内部当選フラグが次遊技に持ち越され（ボーナス成立遊技状態が維持され）、次回以降の遊技においても当選役「ＢＢ」に対応する図柄組み合わせを有効ラインＡ上に表示させることが可能となる。そして、遊技者が、当選役「ＢＢ」に対応する図柄組み合わせを有効ラインＡ上に表示させると、図８の（２）に示すように、主制御基板２００で管理している遊技状態がボーナス成立遊技状態からボーナス遊技状態に遷移する。また、ボーナス遊技状態において、メダルが所定枚数払い出されると、図８の（３）に示すように、主制御基板２００で管理している遊技状態が、ボーナス遊技状態からボーナス非成立遊技状態に遷移する。ただし、図８の（４）に破線の矢印で示すように、ボーナス非成立遊技状態における当選役「ＢＢ」が成立した遊技で、当選役「ＢＢ」に対応する図柄組み合わせを有効ラインＡ上に表示させた場合、ボーナス成立遊技状態を経由せず、直接、ボーナス遊技状態に遷移する。
【００６１】
なお、リプレイ役である当選役「リプレイ」が含まれる当選種別に対応する内部当選フラグが成立した場合には、その当選役に対応する図柄組み合わせが必ず有効ラインＡ上に表示され、メダルを要することなく次遊技を行うために必要となる処理が行われた後に、当該内部当選フラグがＯＦＦされる。
【００６２】
（当選種別抽選テーブル）
図９および図１０は、当選種別抽選乱数を判定する場合に用いられる当選種別抽選テーブルを示す図であり、図９は、上述したボーナス成立遊技状態において用いられるボーナス成立遊技状態用当選種別抽選テーブルを示し、図１０は、ボーナス非成立遊技状態において用いられるボーナス非成立遊技状態用当選種別抽選テーブルを示している。当選種別抽選テーブルでは、複数の当選領域が区画されており、各遊技状態によって抽選の対象となる当選種別が異なったり、ハズレ（不当選）の有無が異なったりする。区画化された各当選領域にはそれぞれ所定の当選範囲値（置数）と当選種別が対応付けられており、遊技状態毎に割り当てられた全ての当選領域の当選範囲値を合計すると当選種別抽選乱数の総数（６５５３６）となる。したがって、当選種別それぞれが決定される確率は、当選領域に対応付けられた当選範囲値を当選種別抽選乱数の総数で除算した値となる。当選種別抽選手段３０４は、その時点の遊技状態に基づいて、当該当選種別抽選テーブルにおける複数の当選領域から、順次、当選範囲値を取得し、その当選範囲値を当選種別抽選乱数から減算して、その減算値が０未満となると、その時点の当選領域に対応付けられた当選種別を抽選結果としている。当該抽選の手順は、他の抽選においても適用できる。
【００６３】
図９のボーナス成立遊技状態用当選種別抽選テーブルによれば、当選領域１には、当選種別「通常リプレイ」が対応付けられており、当該当選種別「通常リプレイ」の当選に応じて当選役「通常リプレイ」に対応する図柄組み合わせを有効ラインＡ上に表示させることができる。
【００６４】
また、当選種別抽選テーブルによれば、複数の当選役が重複した当選種別に当選することがある。例えば、当選領域２には、当選役「通常リプレイ」、「特殊リプレイ１」が重複した当選種別「特殊リプレイ１」が対応付けられ、当選領域３には、当選役「通常リプレイ」、「特殊リプレイ２」が重複した当選種別「特殊リプレイ２」が対応付けられ、当選領域４には、当選役「通常リプレイ」、「ビッグリプレイ」が重複した当選種別「ボーナスリプレイ１」が対応付けられ、当選領域５には、当選役「通常リプレイ」、「レギュラーリプレイ」が重複した当選種別「ボーナスリプレイ２」が対応付けられている。ここで、ボーナス図柄（ここでは、「赤７」図柄や「白７」図柄）が図柄表示窓１３６内で直線的に表示される停止態様となる図柄組み合わせを含む複数の図柄組み合わせが対応付けられたボーナス当選役は、当選役「レギュラーリプレイ」や当選役「ビッグリプレイ」であり、かかるボーナス当選役と他の当選役とが重複したボーナス当選種別は、当選種別「ボーナスリプレイ１」や当選種別「ボーナスリプレイ２」である。このように、複数の当選役が重複して当選した場合には、いずれの当選役に対応する図柄組み合わせを有効ラインＡ上に表示させるかについての入賞条件、例えば、ストップボタンスイッチ１３０ａ、１３０ｂ、１３０ｃが操作される順番が設定されている。
【００６５】
以下の説明において、左リール１３４ａ、中リール１３４ｂ、右リール１３４ｃの順に回転リールを停止させるストップボタンスイッチ１３０ａ、１３０ｂ、１３０ｃの操作を「打順１」とし、左リール１３４ａ、右リール１３４ｃ、中リール１３４ｂの順に回転リールを停止させるストップボタンスイッチ１３０ａ、１３０ｂ、１３０ｃの操作を「打順２」とし、中リール１３４ｂ、左リール１３４ａ、右リール１３４ｃの順に回転リールを停止させるストップボタンスイッチ１３０ａ、１３０ｂ、１３０ｃの操作を「打順３」とし、中リール１３４ｂ、右リール１３４ｃ、左リール１３４ａの順に回転リールを停止させるストップボタンスイッチ１３０ａ、１３０ｂ、１３０ｃの操作を「打順４」とし、右リール１３４ｃ、左リール１３４ａ、中リール１３４ｂの順に回転リールを停止させるストップボタンスイッチ１３０ａ、１３０ｂ、１３０ｃの操作を「打順５」とし、右リール１３４ｃ、中リール１３４ｂ、左リール１３４ａの順に回転リールを停止させるストップボタンスイッチ１３０ａ、１３０ｂ、１３０ｃの操作を「打順６」とする。
【００６６】
例えば、ボーナス成立遊技状態において、当選領域２に対応する当選種別「特殊リプレイ１」が当選種別抽選により決定され、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「特殊リプレイ１」に対応する図柄組み合わせが有効ラインＡ上に表示されるように停止制御がなされる。したがって、当選種別「特殊リプレイ１」に当選すると、図７（ｂ）に示したように、有効ラインＡ上と仮想ラインＣ１上の両ラインに「ＢＡＲ」図柄を直線的に表示することができる。また、当選領域３に対応する当選種別「特殊リプレイ２」が当選種別抽選により決定され、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「特殊リプレイ２」に対応する図柄組み合わせが有効ラインＡ上に表示されるように停止制御がなされる。したがって、当選種別「特殊リプレイ２」に当選すると、図７（ｃ）に示したように、有効ラインＡ上と仮想ラインＣ１上の両ラインに右リール１３４ｃおよび左リール１３４ａに記される「ＢＡＲ」図柄を表示することができるが、中リール１３４ｂに記される「ＢＡＲ」図柄を表示することはできない。かかる当選役「特殊リプレイ１」と当選役「特殊リプレイ２」とは、後述するように、遊技者に対し、回転リール１３４ａ、１３４ｂ、１３４ｃを通じて任意の遊技利益を付与したことを把握させるために用いられる。
【００６７】
ここで、上記した通り、当選種別「特殊リプレイ１」に当選した場合には、その図柄配列上、いずれのタイミングでストップボタンスイッチ１３０ａ、１３０ｂ、１３０ｃを押圧操作したとしても、重複するいずれかの当選役に対応する図柄組み合わせが、必ず、有効ラインＡ上に表示されることとなる。したがって、遊技者が、左リール１３４ａ、中リール１３４ｂ、右リール１３４ｃのいずれを最初に停止するようにストップボタンスイッチ１３０ａ、１３０ｂ、１３０ｃを操作したとしてもリプレイ役に対応する図柄組み合わせを有効ラインＡ上に表示することは可能であるが、その停止順により表示される図柄の組み合わせが異なることとなる。
【００６８】
このようなリプレイ役が重複した当選種別に当選した場合、副制御基板２０２は、補助演出を通じて重複当選した複数の当選役のいずれかに対応する図柄組み合わせを有効ラインＡ上に表示させることができる。すなわち、本来、回転リール１３４ａ、１３４ｂ、１３４ｃの制御を行っていない副制御基板２０２が、回転リール１３４ａ、１３４ｂ、１３４ｃの停止態様を操作することが可能となる。また、主制御基板２００では、その停止態様を判定することで、主制御基板２００で管理している遊技状態と並行して副制御基板２０２で管理している遊技状態（ボーナス遊技状態等）や様々な内部状態が変化したことを把握することが可能となる。
【００６９】
また、当選領域４に対応する当選種別「ボーナスリプレイ１」が当選種別抽選により決定され、左リール１３４ａ、中リール１３４ｂ、右リール１３４ｃのうち、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「ビッグリプレイ」に対応する図柄組み合わせが有効ラインＡ上に表示されるように停止制御がなされる。
【００７０】
また、当選領域５に対応する当選種別「ボーナスリプレイ２」が当選種別抽選により決定され、左リール１３４ａが最初に停止（第１停止）するようにストップボタンスイッチ１３０ａ、１３０ｂ、１３０ｃが操作された場合（打順１または打順２）、当選役「通常リプレイ」に対応する図柄組み合わせが有効ラインＡ上に表示されるように停止制御がなされる。また、中リール１３４ｂまたは右リール１３４ｃが第１停止するようにストップボタンスイッチ１３０ａ、１３０ｂ、１３０ｃが操作された場合（打順３〜打順６）、当選役「レギュラーリプレイ」に対応する図柄組み合わせが有効ラインＡ上に表示されるように停止制御がなされる。
【００７１】
また、当選領域６には、当選種別「チェリー」が対応付けられており、当該当選種別「チェリー」の当選に応じて、図７（ｆ）に示したように、当選役「チェリー」に対応する図柄組み合わせを有効ラインＡ上に表示させることができる。また、当選領域７には、当選種別「共通ベル」が対応付けられており、当選種別「共通ベル」の当選に応じて、図７（ｈ）に示したように、当選役「共通ベル」に対応する図柄組み合わせを有効ラインＡ上に表示させることができる。
【００７２】
また、当選領域８には、当選役「通常ベル」、「特殊ベル１」、「特殊ベル６」が重複した当選種別「打順ベル中１」が対応付けられている。かかる重複当選においても、いずれの当選役に対応する図柄組み合わせを有効ラインＡ上に表示させるかについての入賞条件、例えば、ストップボタンスイッチ１３０ａ、１３０ｂ、１３０ｃが操作される順番が設定されている。
【００７３】
例えば、ボーナス成立遊技状態において、当選領域８に対応する当選種別「打順ベル中１」が当選種別抽選により決定され、左リール１３４ａが第１停止するようにストップボタンスイッチ１３０ａ、１３０ｂ、１３０ｃが操作された場合（打順１または打順２）、当選役「特殊ベル６」に対応する図柄組み合わせが有効ラインＡ上に表示されるように停止制御がなされる。また、左リール１３４ａ、中リール１３４ｂ、右リール１３４ｃのうち、中リール１３４ｂが第１停止、左リール１３４ａが第２停止するようにストップボタンスイッチ１３０ａ、１３０ｂ、１３０ｃが操作された場合（打順３）、当選役「通常ベル」に対応する図柄組み合わせが有効ラインＡ上に表示されるように停止制御がなされる。また、中リール１３４ｂが第１停止、右リール１３４ｃが第２停止するようにストップボタンスイッチ１３０ａ、１３０ｂ、１３０ｃが操作された場合（打順４）、または、右リール１３４ｃが第１停止するようにストップボタンスイッチ１３０ａ、１３０ｂ、１３０ｃが操作された場合（打順５または打順６）、当選役「特殊ベル１」に対応する図柄組み合わせが有効ラインＡ上に表示されるように停止制御がなされる。
【００７４】
ここで、上記した通り、当選役「通常ベル」は、その図柄配列上、いずれのタイミングでストップボタンスイッチ１３０ａ、１３０ｂ、１３０ｃを押圧操作したとしても、これら当選役に対応するいずれかの図柄組み合わせが、必ず、有効ラインＡ上に表示されることとなる。そして、当選役「通常ベル」の払出枚数は９枚である。これに対し、当選役「特殊ベル６」や当選役「特殊ベル１」は、メダルの払出枚数が１枚と少なく、さらに、当選役「特殊ベル１」は、その図柄配列上、いずれのタイミングでストップボタンスイッチ１３０ａ、１３０ｂ、１３０ｃを押圧操作したとしても、これら当選役に対応するいずれかの図柄組み合わせが、必ず、有効ラインＡ上に表示されるものの、当選役「特殊ベル６」は、遊技者が無作為に操作した場合に当該当選役「特殊ベル６」に対応するいずれかの図柄組み合わせを有効ラインＡ上に表示させることができる確率は約１／８と低い。したがって、期待獲得枚数は、当選役「通常ベル」>当選役「特殊ベル１」>当選役「特殊ベル６」となる。
【００７５】
そして、当選種別抽選テーブルの当選領域８〜２３全てにおいて、当選役「通常ベル」と、当選役「特殊ベル１」〜当選役「特殊ベル５」のいずれか１または２の当選役と、当選役「特殊ベル６」〜当選役「特殊ベル１３」のいずれか１の当選役が重複当選するようになっており、当選役「通常ベル」を入賞させるための停止操作が当選領域によって異なるように設定されている。なお、当選領域８〜２３の当選確率（当選範囲値の数）は等しくなるように設定されている。遊技者は、通常、いずれの当選種別に当選しているのかを知ることができないため、上記のような当選領域８〜２３を設けることにより、選択当選役としての当選役「通常ベル」を入賞させることが極めて難しくなっている。ただし、このようなストップボタンスイッチ１３０ａ、１３０ｂ、１３０ｃの操作順に応じて遊技者の遊技利益が異なる当選種別（選択当選種別）に当選した場合においても、遊技者は、副制御基板２０２による補助演出を通じて当選役「通常ベル」を入賞し得る操作態様（以下、この操作態様を正解操作態様という。）を把握することで、当選役「通常ベル」に対応する図柄組み合わせを有効ラインＡ上に表示させ、通常遊技状態より多くのメダルを獲得することが可能となる。こうして補助演出の有無によって遊技の進行に応じてメダルが増え易いＡＴ遊技状態（後述する通常ＡＴ遊技状態や擬似ボーナス遊技状態）と、遊技の進行に応じてメダルが減り易い遊技状態（通常遊技状態）とを実現することができる。
【００７６】
また、当選領域２４には、当選種別「ハズレ」が対応付けられており、かかるハズレはメダルの払い出し等が行われることはないが、ＢＢ内部当選フラグが持ち越された当選役「ＢＢ」に対応する図柄組み合わせを有効ラインＡ上に表示させたり、特定の図柄組み合わせを有効ラインＡ上に表示させることで遊技の開始、終了条件や遊技利益の抽選契機に利用することができる。
【００７７】
次に、図１０のボーナス非成立遊技状態用当選種別抽選テーブルと、図９のボーナス成立遊技状態用当選種別抽選テーブルとを比較すると、前者は当選種別「ＢＢ」の抽選を行っているのに対し、後者では当選種別「ＢＢ」の抽選をしておらず、一方、後者は、当選種別「ハズレ」を抽選しているのに対し、前者では抽選していない。これは、後者では、既に当選種別「ＢＢ」に当選しているので重ねて当選種別「ＢＢ」を当選させることができず、また、後者では、後述するようにリプレイ役や小役が優先される状況下において、当選種別「ハズレ」が抽選された遊技で、当選している当選役「ＢＢ」に対応する図柄組み合わせを有効ラインＡ上に表示可能とするためである。また、図示はしていないが、後者は、前者に対して当選種別「通常リプレイ」の当選確率が高く設定されている。
【００７８】
主制御基板２００で管理している遊技状態としては、上記ボーナス非成立遊技状態およびボーナス成立遊技状態以外にボーナス遊技状態が存在するが、かかるボーナス遊技状態では、後述するように、当選種別抽選の結果に拘わらず、全ての抽選結果において、対応する図柄組み合わせが、必ず有効ラインＡ上に表示可能な小役に強制的に設定されるので、当選種別抽選テーブルは設定されていない。
【００７９】
（遊技状態の遷移）
以下、主制御基板２００における遊技状態（ボーナス非成立遊技状態、ボーナス成立遊技状態、ボーナス遊技状態）の遷移について詳述する。なお、本実施形態では、規定投入数が遊技状態に応じて異なっており、ボーナス非成立遊技状態、および、ボーナス成立遊技状態では、規定投入数が３枚に設定されているのに対し、ボーナス遊技状態では、規定投入数が２枚に設定されている。
【００８０】
（ボーナス非成立遊技状態）
ボーナス非成立遊技状態は、主制御基板２００で管理される複数の遊技状態のうち、初期状態に相当する遊技状態である。また、ボーナス非成立遊技状態では、当選種別「通常リプレイ」の当選確率が約１／７．３に設定される。そして、図８を用いて説明したように、ボーナス非成立遊技状態において、当選種別「ＢＢ」に当選すると、ボーナス成立遊技状態に移行する。本実施形態では、当選種別「ＢＢ」の当選確率が例えば約１／３に設定され、比較的少ない遊技で当選種別「ＢＢ」に当選するので、ボーナス非成立遊技状態の滞在期間は短くなる。
【００８１】
（ボーナス成立遊技状態）
ボーナス成立遊技状態は、ボーナス非成立遊技状態のみから移行し、当選役「ＢＢ」に対応する図柄組み合わせが有効ラインＡ上に表示されるまで継続する遊技状態である。この間、ＢＢ内部当選フラグが成立した状態に維持される。また、ボーナス成立遊技状態では、当選種別「通常リプレイ」の当選確率がボーナス非成立遊技状態より高く、例えば約１／３．８に設定される。
【００８２】
本実施形態では、後述するように、主制御基板２００においてボーナス成立遊技状態を維持しつつ、副制御基板２０２による通常ＡＴ遊技や擬似ボーナス遊技を実現する。したがって、ボーナス成立遊技状態からボーナス遊技状態に容易に遷移しないように、ボーナス成立遊技状態における当選種別抽選の当選確率を調整している。
【００８３】
ボーナス成立遊技状態において、図９に示したボーナス成立遊技状態用当選種別抽選テーブルを参照して理解できるように、当選種別抽選手段３０４は、ＢＢ内部当選フラグが持ち越されている遊技においても、リプレイ役や小役を抽選している。したがって、リプレイ役や小役が当選種別抽選により当選すると、リプレイ役や小役の当選フラグと、ＢＢ内部当選フラグとがいずれも成立していることとなる。ここで、本実施形態では、リプレイ役>小役>ボーナス役の順に優先順位が定められている。すなわち、リプレイ役や小役が含まれる当選種別が当選した遊技において、リール制御手段３０６は、リプレイ役や小役に対応する図柄組み合わせが有効ラインＡ上に表示されるように停止制御し、当選役「ＢＢ」に対応する図柄組み合わせは、遊技者が狙ったとしても、有効ラインＡ上に表示されることはない。
【００８４】
ここで、図９のボーナス成立遊技状態用当選種別抽選テーブルを参照すると、ボーナス成立遊技状態では、リプレイ役、小役、ハズレのいずれかが当選するようになっている。本実施形態では、ハズレの当選確率を、例えば、１／６５５３６とすることで、ほぼ、リプレイ役または小役のいずれかが当選することになる。そうすると、上記の如く、リプレイ役または小役に対応する図柄組み合わせが優先され、当選役「ＢＢ」に対応する図柄組み合わせを有効ラインＡ上に表示させることができない。また、リプレイ役や小役が含まれる当選種別が当選していないハズレの遊技でのみ当選役「ＢＢ」に対応する図柄組み合わせを有効ラインＡ上に表示させることが可能であるが、当選種別抽選においてハズレであったことを把握することができないようにすることで、当選役「ＢＢ」に対応する図柄組み合わせが有効ラインＡ上に表示されないようにしている。また、当選種別抽選がハズレであったとしても、遊技者が無作為に操作した場合に、各回転リール１３４ａ、１３４ｂ、１３４ｃに１図柄または連続２図柄しか記されていない当選役「ＢＢ」に対応する図柄組み合わせが表示される可能性は少ない。こうして、遊技者が当選役「ＢＢ」の入賞を意図的に回避しなければならない状況を減らし、遊技者の煩わしい操作負担を軽減しつつ、ボーナス成立遊技状態を容易に維持させることが可能となる。
【００８５】
また、ボーナス成立遊技状態では、上述したように、ほぼ、リプレイ役または小役のいずれかが当選することになっており、リプレイ役が約１／３．８の高確率で当選することで、遊技者のメダルの消費を抑え、また、通常ＡＴ遊技や擬似ボーナス遊技が実現されると、補助演出によって正解操作態様が報知されるので、遊技者は、メダルを獲得することが可能となる。ここでは、リプレイ役が、既に、約１／３．８といった高確率で当選するので、リプレイ役の当選確率が高くなるＲＴ（リプレイタイム）等を実行することなく、通常ＡＴ遊技や擬似ボーナス遊技のみを速やかに開始することが可能となる。
【００８６】
（ボーナス遊技状態）
ボーナス遊技状態は、ボーナス役に対応する図柄組み合わせが有効ラインＡ上に表示されたことを契機に移行し、メダルが所定枚数（例えば、２６枚）払い出されるまで継続する遊技状態である。かかるボーナス遊技状態では、当選種別抽選テーブルが設定されておらず、当選種別抽選手段３０４による当選種別抽選の結果が全てハズレとなるようになっている。ただし、かかる当選種別抽選の結果に拘わらず、全ての抽選結果において、対応する図柄組み合わせが、必ず有効ラインＡ上に表示可能な小役に強制的に設定される。したがって、ボーナス遊技において、遊技者は、必ず、メダルの所定枚数の払出を受けることができる。ただし、本実施形態では、払出枚数を規定投入数（ここでは２枚）と等しくしているため、ボーナス遊技によって得られるメダル数は±０枚である。また、本実施形態では、ボーナス遊技終了後のボーナス非成立遊技状態において補助演出が実行されないので、遊技者のメダルは減ることが多くなる。
【００８７】
一方、ボーナス成立遊技状態では、後述する通常ＡＴ遊技や擬似ボーナス遊技において補助演出が実行されるため、メダルの増加が期待できる。したがって、遊技者は、遊技状態がボーナス成立遊技状態からボーナス遊技状態に移行するのを回避し、長期に亘ってボーナス成立遊技状態を維持しようとする。こうして、主制御基板２００が管理する遊技状態をボーナス成立遊技状態に維持しつつ、ボーナス成立遊技状態中において、副制御基板２０２による通常ＡＴ遊技や擬似ボーナス遊技を実現することができる。
【００８８】
（副制御基板２０２）
図４に戻って説明すると、副制御基板２０２は、主制御基板２００と同様に、中央処理装置であるサブＣＰＵ２０２ａ、プログラム等が格納されたサブＲＯＭ２０２ｂ、ワークエリアとして機能するサブＲＡＭ２０２ｃ等を含む各種半導体集積回路を有し、主制御基板２００からのコマンドに基づき、特に演出を制御する。また、サブＲＡＭ２０２ｃにもメインＲＡＭ２００ｃ同様、不図示のバックアップ電源が接続されており、電源が切断された場合においても、データが消去されることなく保持される。なお、副制御基板２０２にも、主制御基板２００同様、乱数発生器２０２ｄが設けられており、乱数発生器２０２ｄによって生成される乱数（以下、演出抽選乱数という）は、主に演出の態様を決定するために用いられる。
【００８９】
また、副制御基板２０２は、サブＣＰＵ２０２ａが、サブＲＯＭ２０２ｂに格納されたプログラムに基づき、サブＲＡＭ２０２ｃと協働することで機能する、初期化決定手段３３０、コマンド受信手段３３２、副遊技状態遷移手段３３４、演出決定手段３３６、演出実行手段３３８等の機能部を有する。
【００９０】
初期化決定手段３３０は、副制御基板２０２における初期化処理を実行する。コマンド受信手段３３２は、主制御基板２００等、他の制御基板からのコマンドを受信し、コマンドに対する処理を行う。副遊技状態遷移手段３３４は、当選種別コマンドに基づいて、遊技者に有利な特定遊技を含む複数の遊技状態から１の遊技状態を決定し、遊技状態を遷移させる。ここで、特定遊技とは、遊技者に対し遊技が有利に進行する、例えば、補助演出を実行する通常ＡＴ遊技や擬似ボーナス遊技をいう。また、特定遊技を実行している状態を特定遊技状態という。また、副遊技状態遷移手段３３４は、特定遊技を含む副制御基板２０２で管理される遊技状態を遷移させる。
【００９１】
演出決定手段３３６は、演出スイッチ１３２から検出信号を受信するとともに、当選種別コマンドに基づいて液晶表示部１３８、スピーカ１４０、演出用ランプ１４２の各デバイスで行われる遊技の演出を決定する。具体的に、演出決定手段３３６は、液晶表示部１３８に表示される画像データや、演出用ランプ１４２、リールバックライト１４４、リール上方ライト１４６、サブクレジット表示部１５６、サブ払出表示部１５８等の電飾機器を通じた演出のための電飾データを決定するとともに、スピーカ１４０から出力すべき音声を構成する音声データを決定する。演出実行手段３３８は、決定した遊技の演出を実行する。かかる各機能部については、後程詳述する。
【００９２】
演出は、上述したリール演出のような主制御基板２００によって実行される演出と、副制御基板２０２によって実行される演出がある。副制御基板２０２によって実行される演出は、遊技の進行に伴い、液晶表示部１３８、スピーカ１４０、演出用ランプ１４２、リールバックライト１４４、リール上方ライト１４６、サブクレジット表示部１５６、サブ払出表示部１５８等を通じて提供される視覚的および聴覚的な表現手段であり、当該遊技にストーリー性を与えたり、当選種別の抽選結果をよりダイナミックな画像で示唆したりすることができる。このような演出では、例えば、通常ＡＴ遊技や擬似ボーナス遊技の当選を示唆する演出を複数遊技に亘って行い、遊技者の期待感を高めることができる。また、たとえ、いずれの当選種別にも当選していなかったとしても、恰も当選しているかのような演出を通じて遊技者に高配当の期待感を持たせ、遊技者を飽きさせないようにすることが可能となる。
【００９３】
また、上述した当選種別の抽選結果を示唆する演出としては補助演出がある。例えば、ボーナス成立遊技状態において、図９に示すボーナス成立遊技状態用当選種別抽選テーブルの当選領域８〜２３の当選種別「打順ベル中１」、「打順ベル中２」、「打順ベル中３」、「打順ベル中４」、「打順ベル中５」、「打順ベル中６」、「打順ベル中７」、「打順ベル中８」、「打順ベル右１」、「打順ベル右２」、「打順ベル右３」、「打順ベル右４」、「打順ベル右５」、「打順ベル右６」、「打順ベル右７」、「打順ベル右８」（以下、かかる１６の当選種別を合わせて当選種別「打順ベル」（選択当選種別）と略す場合がある）が当選した場合に、遊技者は、期待獲得枚数が最大となる（当選役「通常ベル」を入賞し得る）正解操作態様を把握することができない。したがって、遊技者が、左リール１３４ａ、中リール１３４ｂ、右リール１３４ｃを無作為に停止操作しただけでは、正解操作態様による選択当選役に対応する図柄組み合わせを必ずしも有効ラインＡ上に表示させることができるとは限らない。ここで、演出実行手段３３８が、遊技者が停止操作を行う前に補助演出を実行して正解操作態様を報知することで、遊技者は、多くのメダルを獲得することが可能となる。
【００９４】
本実施形態では、副制御基板２０２内で演出動画を処理しているが、液晶表示部１３８に表示される静止画や動画を含む画像は、データ容量やその表示に伴う処理負荷が膨大となるため、別途、液晶制御基板を介在させて演出動画を処理する場合もある。
【００９５】
（遊技状態の遷移）
図１１は、遊技状態の状態遷移を説明するための説明図である。以下、副制御基板２０２において副遊技状態遷移手段３３４により遷移される遊技状態（通常遊技状態、通常ＡＴ遊技状態、擬似ボーナス遊技状態）について詳述する。なお、本実施形態では、通常遊技状態として、ノーマル通常遊技状態とチャンス通常遊技状態とが設けられ、通常ＡＴ遊技状態として、ノーマルＡＴ遊技状態とチャンスＡＴ遊技状態とが設けられ、擬似ボーナス遊技状態として、ビッグボーナス遊技状態とレギュラーボーナス遊技状態とが設けられている。
【００９６】
（通常遊技状態）
通常遊技状態は、副制御基板２０２で管理される複数の遊技状態のうち、初期状態に相当する遊技状態である。通常遊技状態が実行される際、主制御基板２００では、ボーナス成立遊技状態となっているので、リプレイ役や小役の当選確率が高く設定されていることになるが、補助演出の実行頻度が通常ＡＴ遊技状態や擬似ボーナス遊技状態より低く、ほぼ補助演出が行われないので、獲得できるメダルの枚数が制限される。
【００９７】
また、通常遊技状態では、ストップボタンスイッチ１３０ａ、１３０ｂ、１３０ｃの操作が正当な操作態様（打順１または打順２）に制限され、遊技者は、そのような正当な操作態様以外の変則操作態様（打順３〜打順６）で操作を行うと、例えば、所定の遊技数を消化するまで、通常ＡＴ遊技や擬似ボーナス遊技の当選確率が低く設定されたり、所定の遊技数が消化されると遊技上の特典が与えられる条件下で遊技数の消化計数が一時的に停止する等、遊技が不利に進行するペナルティが科されることとなる。
【００９８】
また、通常遊技状態では、ノーマル通常遊技状態とチャンス通常遊技状態とが設けられ、副遊技状態遷移手段３３４は、ノーマル通常遊技状態における所定の契機で遊技状態をチャンス通常遊技状態に移行させ（１）、所定の遊技数が消化されるとノーマル通常遊技状態に戻す（２）。また、副遊技状態遷移手段３３４は、ノーマル通常遊技状態において、遊技状態を擬似ボーナス遊技状態（ビッグボーナス遊技状態またはレギュラーボーナス遊技状態）に移行させることができる（３）。また、副遊技状態遷移手段３３４は、ノーマル通常遊技状態およびチャンス通常遊技状態のいずれの遊技状態においても遊技状態をノーマルＡＴ遊技状態に移行させることができるが（４）、チャンス通常遊技状態の方がノーマル通常遊技状態よりノーマルＡＴ遊技状態に移行し易く、擬似ボーナス遊技状態には移行しないことを差し引いても、チャンス通常遊技状態の方がノーマル通常遊技状態より遊技利益が大きい状態となる。したがって、遊技者は、ノーマル通常遊技状態より、チャンス通常遊技状態に滞在することを望むこととなる。また、通常ＡＴ遊技状態や擬似ボーナス遊技状態に移行することなく通常遊技状態で所定の遊技数が消化されると（所謂、天井到達）、副遊技状態遷移手段３３４は、遊技状態を通常ＡＴ遊技状態のうちのノーマルＡＴ遊技状態へ移行させる。
【００９９】
（通常ＡＴ遊技状態）
通常ＡＴ遊技状態は、通常遊技状態または擬似ボーナス遊技状態から移行する遊技状態であり、副制御基板２０２による補助演出が行われる。また、通常ＡＴ遊技状態は、通常ＡＴ遊技状態を維持可能な（上限の）遊技数である継続回数で管理され、通常ＡＴ遊技状態が開始されてからの遊技数が設定された継続回数に到達したことで終了する。また、通常ＡＴ遊技状態では、継続回数の上乗せ抽選も行われ、当選することで継続回数が延長される。ここで、継続回数が加算されると、加算された遊技数分、通常ＡＴ遊技状態が長く維持され、遊技者は、遊技を有利に進行することができる。また、通常ＡＴ遊技状態では、遊技数が継続回数に到達し、一旦終了した後に、再び通常ＡＴ遊技状態に移行するか否か、すなわち、通常ＡＴ遊技状態を繰り返すか否かの継続抽選を行うこともできる。
【０１００】
通常ＡＴ遊技状態では、主制御基板２００においてボーナス成立遊技状態となっているので、リプレイ役や小役の当選確率が高く設定されており、補助演出によって正解操作態様が報知されることで、メダルの消費を抑えつつ、多くのメダルを獲得することが可能となる。また、通常ＡＴ遊技は、その抽選と実行が同じ副制御基板２０２で行われるので、通常ＡＴ遊技に当選すると、直ちに通常ＡＴ遊技を開始することができる。
【０１０１】
また、通常ＡＴ遊技状態では、通常遊技状態のようなペナルティを科していない。当該通常ＡＴ遊技状態では、選択当選役が重複当選している場合に、正解操作態様を報知することで、正解操作態様による選択当選役を入賞させ、遊技者にメダルを獲得させることを目的としている。したがって、正解操作態様に対応している変則操作態様をペナルティにすることができないからである。
【０１０２】
また、通常ＡＴ遊技状態では、ノーマルＡＴ遊技状態とチャンスＡＴ遊技状態とが設けられ、副遊技状態遷移手段３３４は、ノーマルＡＴ遊技状態における所定の契機で遊技状態をチャンスＡＴ遊技状態に移行させ（５）、所定の遊技数が消化されるとノーマルＡＴ遊技状態に戻し（６）、ノーマルＡＴ遊技状態での遊技数の消化を再開させる。また、副遊技状態遷移手段３３４は、ノーマルＡＴ遊技状態およびチャンスＡＴ遊技状態のいずれの遊技状態においても遊技状態を擬似ボーナス遊技状態（ビッグボーナス遊技状態またはレギュラーボーナス遊技状態）に移行させることができるが（７）、チャンスＡＴ遊技状態の方がノーマルＡＴ遊技状態より擬似ボーナス遊技状態に移行し易くなっている。したがって、遊技者は、ノーマルＡＴ遊技状態より、チャンスＡＴ遊技状態に滞在することを望むこととなる。そして、ノーマルＡＴ遊技状態での遊技数が設定された継続回数に到達すると、ノーマルＡＴ遊技状態が終了する。ただし、副遊技状態遷移手段３３４は、ノーマルＡＴ遊技状態の終了時にはチャンス通常遊技状態へ移行させるので（８）、遊技者はノーマルＡＴ遊技状態への復帰を期待できる。
【０１０３】
（擬似ボーナス遊技状態）
擬似ボーナス遊技状態は、当選役「ビッグリプレイ」や当選役「レギュラーリプレイ」を有効ラインＡ上に表示させ、通常遊技状態または通常ＡＴ遊技状態から移行する遊技状態であり、通常ＡＴ遊技状態同様、副制御基板２０２による補助演出が行われる。擬似ボーナス遊技状態は、補助演出により正解操作態様を報知する遊技数であるナビ回数が、設定されたナビ回数に到達したことで終了する。擬似ボーナス遊技状態では、ビッグボーナス遊技状態とレギュラーボーナス遊技状態とが設けられ、ビッグボーナス遊技状態は、レギュラーボーナス遊技状態より、擬似ボーナス遊技状態開始時のナビ回数の設定が多い。したがって、遊技者は、レギュラーボーナス遊技状態よりビッグボーナス遊技状態で遊技するのを望むことになる。擬似ボーナス遊技状態が終了すると、擬似ボーナス遊技状態開始前の遊技状態に戻る。したがって、擬似ボーナス遊技状態開始前の遊技状態がノーマルＡＴ遊技状態であれば、副遊技状態遷移手段３３４は、遊技状態をノーマルＡＴ遊技状態に戻し（９）、チャンスＡＴ遊技状態であれば、チャンスＡＴ遊技状態に戻し（１０）、ノーマル通常遊技状態であれば、ノーマル通常遊技状態に戻す（１１）。ただし、副遊技状態遷移手段３３４は、擬似ボーナス遊技状態開始前の遊技状態がノーマル通常遊技状態の場合に限り、所定の条件を満たすことで遊技状態をチャンス通常遊技状態に戻すこともある（１２）。
【０１０４】
擬似ボーナス遊技状態では、通常ＡＴ遊技状態同様、主制御基板２００においてボーナス成立遊技状態となっているので、リプレイ役や小役の当選確率が高く設定されており、補助演出によって正解操作態様が報知されることで、メダルの消費を抑えつつ、多くのメダルを獲得することが可能となる。
【０１０５】
上述したように、主制御基板２００が管理する遊技状態は、ほぼ、ボーナス成立遊技状態に滞在しており、ボーナス成立遊技状態であることを条件に、副制御基板２０２では、遊技状態を、通常遊技状態、通常ＡＴ遊技状態、擬似ボーナス遊技状態の間で遷移させる。しかし、当選役「ＢＢ」に対応する図柄組み合わせが有効ラインＡ上に表示される可能性があり、主制御基板２００が管理する遊技状態がボーナス成立遊技状態からボーナス遊技状態に遷移する場合もある。副制御基板２０２では、主制御基板２００における遊技状態を把握することが可能なので、ボーナス成立遊技状態からボーナス遊技状態に遷移した場合、副制御基板２０２の遊技状態を一旦停止し、かつ、補助演出を行わないようにする。そして、主制御基板２００においてボーナス非成立遊技状態からボーナス成立遊技状態に遷移すると、副制御基板２０２の遊技状態を再開する。
【０１０６】
（副制御基板２０２で用いられるテーブル）
サブＲＯＭ２０２ｂには、複数の遊技抽選テーブル等が格納されている。副遊技状態遷移手段３３４は、当選種別抽選手段３０４が決定した当選種別に基づいて対応する遊技状態抽選テーブルをサブＲＯＭ２０２ｂから抽出するとともに、抽出した遊技状態抽選テーブルに基づき、所定の遊技の当選に対応するか否か判定する。
【０１０７】
図１２は、遊技状態抽選テーブルを示す図であり、図１２（ａ）は、ノーマル通常遊技状態に用いられ、図１２（ｂ）は、チャンス通常遊技状態に用いられ、図１２（ｃ）は、ノーマルＡＴ遊技状態に用いられ、図１２（ｄ）は、チャンスＡＴ遊技状態に用いられる。かかる遊技状態抽選テーブルは、本来、同一の遊技状態であても、当選種別抽選の抽選結果毎に異なるが、ここでは、説明の便宜上、当選種別抽選の抽選結果の影響を受けないとする。各遊技状態抽選テーブルでは、複数の当選領域が区画されており、区画化された各当選領域にはそれぞれ所定の当選範囲値と遊技が対応付けられており、遊技状態毎に割り当てられた全ての当選領域の当選範囲値を合計すると演出抽選乱数の総数（６５５３６）となる。したがって、特定遊技やハズレのそれぞれが当選する確率は、当選領域に対応付けられた当選範囲値を演出抽選乱数の総数で除算した値となる。例えば、図１２（ａ）のノーマル通常遊技状態用遊技状態抽選テーブルでは、５つの当選領域が区画されており、当選領域毎の当選範囲値に応じて、各遊技の当選確率が異なることとなる。
【０１０８】
図１２（ａ）のノーマル通常遊技状態用遊技状態抽選テーブルと図１２（ｂ）のチャンス通常遊技状態用遊技状態抽選テーブルとを比較すると、チャンス通常遊技状態用遊技状態抽選テーブルには、ノーマル通常遊技状態用遊技状態抽選テーブルのようにビッグボーナス遊技やレギュラーボーナス遊技が抽選により決定されることはない。また、チャンス通常遊技状態からノーマル通常遊技状態には所定の遊技数の消化により移行するので、ノーマル通常遊技が抽選により決定されることもない。ただし、チャンス通常遊技状態用遊技状態抽選テーブルのノーマルＡＴ遊技の当選範囲値は、ノーマル通常遊技状態用遊技状態抽選テーブルのノーマルＡＴ遊技の当選範囲値より大きな値が設定されている。また、図１２（ｃ）のノーマルＡＴ遊技状態用遊技状態抽選テーブルと図１２（ｄ）のチャンスＡＴ遊技状態用遊技状態抽選テーブルとを比較すると、チャンスＡＴ遊技状態からノーマルＡＴ遊技状態には所定の遊技数の消化により移行するので、チャンスＡＴ遊技状態用遊技状態抽選テーブルでは、ノーマルＡＴ遊技が抽選により決定されることがない。なお、図１２（ｃ）のノーマルＡＴ遊技状態用遊技状態抽選テーブルでは、説明の便宜のため、チャンスＡＴ遊技を直接抽選しているが、正確には、まず、ノーマルＡＴ遊技状態中に所定の遊技数継続する抽選領域への移行を抽選し、その抽選領域においてさらにチャンスＡＴ遊技が抽選される。
【０１０９】
（擬似ボーナス遊技の開始）
ところで、上述したように、図１２（ａ）、図１２（ｃ）、図１２（ｄ）の遊技状態抽選テーブルでは、擬似ボーナス遊技として、ビッグボーナス遊技とレギュラーボーナス遊技とが抽選される。このような擬似ボーナス遊技は、通常ＡＴ遊技同様、補助演出を通じて多くのメダルを獲得することが可能な遊技であるが、遊技性に変化をもたらすべく、通常ＡＴ遊技と演出を異ならせている。特に、擬似ボーナス遊技は、従来のボーナス遊技に見立てるため、その遊技の開始時には、ボーナス図柄（「赤７」図柄や「白７」図柄）を直線的（規則的）に表示させ、特別な遊技に当選したことを表している。また、擬似ボーナス遊技として、ビッグボーナス遊技とレギュラーボーナス遊技とがメダルの期待獲得枚数等、遊技利益に差がある場合（例えば、ビッグボーナス遊技におけるナビ回数の初期値は１５回、レギュラーボーナス遊技におけるナビ回数の初期値は５回）、その開始時に表示するボーナス図柄も異ならせている。擬似ボーナス遊技は、ボーナス当選役（当選役「ビッグリプレイ」または当選役「レギュラーリプレイ」）の入賞条件となる操作態様を報知し、遊技者がその操作態様で操作を行ってから（開始条件を満たすと）開始され、当選した擬似ボーナス遊技に設定されたナビ回数に到達すると（終了条件を満たすと）終了する。以下、本実施形態における擬似ボーナスの一連の流れについて説明する。
【０１１０】
図１３〜図１５は、遊技中の回転リール１３４ａ、１３４ｂ、１３４ｃの動作を示した説明図である。図１３〜図１５では、説明の便宜のため、スロットマシン１００の外観を簡易的に表し、ベットスイッチ１２６、スタートスイッチ１２８、ストップボタンスイッチ１３０ａ、１３０ｂ、１３０ｃ、回転リール１３４ａ、１３４ｂ、１３４ｃのみを図示する。
【０１１１】
図９を用いて説明したように、ボーナス成立遊技状態においては、常に当選種別「ボーナスリプレイ１」や当選種別「ボーナスリプレイ２」の抽選が行われている。副遊技状態遷移手段３３４の抽選によりビッグボーナス遊技に当選した後の遊技において、図１３（ａ）に示すように、遊技者によるベットスイッチ１２６の操作、または、メダル投入部１２４へのメダルの投入を通じ、ベット手段３０２がメダルをベットする。そして、図１３（ｂ）に示すように、遊技者によるスタートスイッチ１２８の操作に基づいて、当選種別抽選手段３０４が当選種別抽選により当選種別を決定し、リール制御手段３０６が、回転リール１３４ａ、１３４ｂ、１３４ｃの回転を開始する。このとき、当選種別抽選により当選種別「ボーナスリプレイ１」が当選すると、既にビッグボーナス遊技に当選しているので、演出実行手段３３８は、当選役「ビッグリプレイ」の入賞条件となる操作順（例えば、打順４または打順６）、および、各回転リール１３４ａ、１３４ｂ、１３４ｃに配置された「赤７」図柄が有効ラインＡ上に揃い得ることを報知する。
【０１１２】
そして、ストップボタンスイッチ１３０ａ、１３０ｂ、１３０ｃの操作を有効にすると、遊技者は、報知された操作順に従ってストップボタンスイッチ１３０ａ、１３０ｂ、１３０ｃを操作する。そして、図１３（ｃ）のように、遊技者は、各回転リール１３４ａ、１３４ｂ、１３４ｃに配置された「赤７」図柄を有効ラインＡ上に直線的に表示することができる。また、遊技者が、報知された操作順は守りつつ、無作為なタイミングでストップボタンスイッチ１３０ａ、１３０ｂ、１３０ｃを操作した場合、図１３（ｄ）のように、当選役「ビッグリプレイ」に対応する図柄組み合わせは有効ラインＡ上に表示されたものの、「赤７」図柄揃いを表示できない場合がある。このように「赤７」図柄揃いが表示されなくとも、ビッグボーナス遊技に対応する当選役「ビッグリプレイ」の入賞条件となる操作態様で操作しさえすれば、ボーナス図柄の組み合わせが直線的に表示されているか否かに拘わらず、ビッグボーナス遊技が開始される。こうして、目押しが苦手な遊技者が、ボーナス図柄揃い（ボーナス図柄の組み合わせ）を直線的に表示させるために複数遊技を費やしてしまい不利益を被るといった事態を回避することができる。
【０１１３】
また、副遊技状態遷移手段３３４の抽選によりレギュラーボーナス遊技が既に当選しているとする。ここで、図１３（ａ）、（ｂ）に示した操作が行われたとき、当選種別抽選により当選種別「ボーナスリプレイ２」が当選すると、既にレギュラーボーナス遊技に当選しているので、演出実行手段３３８は、当選役「レギュラーリプレイ」の入賞条件となる操作順（例えば、打順４または打順６）、および、各回転リール１３４ａ、１３４ｂ、１３４ｃに配置された「赤７」図柄が有効ラインＡ上に揃い得ることを報知する。ここで、報知された操作順に従って、遊技者がストップボタンスイッチ１３０ａ、１３０ｂ、１３０ｃを操作すると、中リール１３４ｂと右リール１３４ｃに配置された「赤７」図柄を有効ラインＡ上に直線的に表示することができる。この時点では、遊技者は、ビッグボーナス遊技に当選しているか、レギュラーボーナス遊技に当選しているか把握できないので、遊技利益の大きいビッグボーナス遊技に当選していることを期待して、左リール１３４ａに配置された「赤７」図柄を有効ラインＡ上に表示するようにストップボタンスイッチ１３０ａを操作する。しかし、ここでは、レギュラーボーナス遊技に当選しているので、左リール１３４ａに配置された「赤７」図柄が有効ラインＡ上に表示されることはなく、図１３（ｆ）のように、左リール１３４ａに配置された「赤７」図柄、中リール１３４ｂに配置された「赤７」図柄、右リール１３４ｃに配置された「白７」図柄が仮想ラインＣ２上に直線的に表示されることとなる。また、ここでも、図１３（ｇ）のように、当選役「レギュラーリプレイ」に対応する図柄組み合わせは有効ラインＡ上に表示されたものの、「赤７」、「赤７」、「白７」図柄揃いを表示できなかった場合であっても、レギュラーボーナス遊技に対応する当選役「レギュラーリプレイ」の入賞条件となる操作態様で操作しさえすれば、ボーナス図柄の組み合わせが直線的に表示されているか否かに拘わらず、レギュラーボーナス遊技が開始される。
【０１１４】
また、当選種別抽選により当選種別「ボーナスリプレイ１」または当選種別「ボーナスリプレイ２」が当選し、演出実行手段３３８が、当選役「ビッグリプレイ」または当選役「レギュラーリプレイ」の入賞条件となる操作順を報知し、主制御基板２００において、遊技者が、当選役「ビッグリプレイ」または当選役「レギュラーリプレイ」の入賞条件となる操作順で操作したことを把握すると、当選種別抽選手段３０４は、救済リール演出を実行するか否かを救済リール演出抽選により仮決定する。救済リール演出は、後述する遊技特典付与抽選において通常ＡＴ遊技等の所定の遊技特典が付与されることなく擬似ボーナス遊技が終了した場合に、所定の条件下で所定の遊技特典を付与する、遊技者を救済する演出である。かかる救済リール演出については後程詳述する。ここでは、擬似ボーナス遊技の開始時に救済リール演出抽選を行う例を挙げて説明するが、擬似ボーナス遊技の終了時等、任意のタイミングで行うことができるのは言うまでもない。また、当選種別抽選手段３０４が救済リール演出を実行することを仮決定するとしているのは、救済リール演出を実行することを決定しても、擬似ボーナス遊技中に、副遊技状態遷移手段３３４が遊技特典付与抽選により所定の遊技特典を付与すると救済リール演出を実行しないからである。
【０１１５】
そして、コマンド送信手段３１６は、救済リール演出抽選の抽選結果を副制御基板２０２に送信する。救済リール演出は、主制御基板２００で実行される演出ではあるが、このように救済リール演出が実行されるか否かを副制御基板２０２に伝達しておくことで、副制御基板２０２では、擬似ボーナス遊技中に、救済リール演出抽選の抽選結果に基づいて、救済リール演出が実行されることを示唆する演出を行うことができる。
【０１１６】
（擬似ボーナス遊技における補助演出）
また、ボーナス成立遊技状態においては、常に当選種別「打順ベル」の抽選が行われている。遊技者は、期待獲得枚数が最大となる（当選役「通常ベル」を入賞し得る）正解操作態様を把握することができないが、擬似ボーナス遊技中は、通常ＡＴ遊技同様、正解操作態様を報知する補助演出が行われるため、当選役「通常ベル」に対応する図柄組み合わせを有効ラインＡ上に表示することが可能となり、多くのメダルを獲得することができる。
【０１１７】
（擬似ボーナス遊技における遊技特典付与抽選）
また、ボーナス成立遊技状態においては、当選種別抽選手段３０４により、常に当選種別「特殊リプレイ１」や当選種別「特殊リプレイ２」の抽選が行われている。例えば、擬似ボーナス遊技中に、図１４（ａ）に示すように、遊技者によるベットスイッチ１２６の操作、または、メダル投入部１２４へのメダルの投入を通じ、ベット手段３０２がメダルをベットする。そして、図１４（ｂ）に示すように、遊技者によるスタートスイッチ１２８の操作に基づいて、当選種別抽選手段３０４が当選種別抽選により当選種別を決定し、リール制御手段３０６が、回転リール１３４ａ、１３４ｂ、１３４ｃの回転を開始する。このとき、当選種別抽選により当選種別「特殊リプレイ１」（特典付与当選種別）が当選すると、副遊技状態遷移手段３３４は、当選種別「特殊リプレイ１」の当選に応じて、所定の遊技特典を付与するか否かを遊技特典付与抽選により決定する。ここで、所定の遊技特典としては、例えば、当該擬似ボーナス遊技状態が通常遊技状態から移行したものであれば、通常ＡＴ遊技（ノーマルＡＴ遊技）であり（複数回当選した場合はその当選した回数分ノーマルＡＴ遊技を実行することができる）、通常ＡＴ遊技状態から移行したものであれば、通常ＡＴ遊技（ノーマルＡＴ遊技）の継続回数の加算（上乗せ）である。また、遊技特典付与抽選における所定の遊技特典を付与する確率（以下、単に付与当選確率という）は、例えば、初期値を例えば１／２００として、遊技の進行に応じて変動する。そして、遊技特典付与抽選により、所定の遊技特典を付与することが決定されると、演出実行手段３３８は、当選役「特殊リプレイ１」（特典付与当選役）の入賞条件となる操作順（例えば、打順５）、および、各回転リール１３４ａ、１３４ｂ、１３４ｃに配置された「ＢＡＲ」図柄が有効ラインＡ上に揃い得ることを報知する。
【０１１８】
そして、ストップボタンスイッチ１３０ａ、１３０ｂ、１３０ｃの操作が有効になり、遊技者が、報知された操作順（例えば、打順５）に従ってストップボタンスイッチ１３０ａ、１３０ｂ、１３０ｃを操作すると、図１４（ｃ）に示すように、左リール１３４ａと右リール１３４ｃに配置された「ＢＡＲ」図柄（特定の図柄）を有効ラインＡ上に直線的に表示することができる。そして、遊技者は、中リール１３４ｂに配置された「ＢＡＲ」図柄を有効ラインＡ上に表示するようにストップボタンスイッチ１３０ｂを操作して、図１４（ｄ）に示すように、各回転リール１３４ａ、１３４ｂ、１３４ｃに配置された「ＢＡＲ」図柄を有効ラインＡ上に直線的に表示することができる。ただし、遊技者が、報知された操作順は守りつつ、無作為なタイミングでストップボタンスイッチ１３０ａ、１３０ｂ、１３０ｃを操作した場合でも、当選役「特殊リプレイ１」に対応する図柄組み合わせは有効ラインＡ上に表示されるので、「ＢＡＲ」図柄揃いが表示されなくとも、所定の遊技特典は有効に付与される。
【０１１９】
一方、当選種別抽選により当選種別「特殊リプレイ２」が当選すると、演出実行手段３３８は、当選役「特殊リプレイ２」の入賞条件となる操作順（例えば、打順５）、および、各回転リール１３４ａ、１３４ｂ、１３４ｃに配置された「ＢＡＲ」図柄が有効ラインＡ上に揃い得ることを報知する。ここで、報知された操作順に従って、遊技者がストップボタンスイッチ１３０ａ、１３０ｂ、１３０ｃを操作すると、図１４（ｃ）に示すように、左リール１３４ａと右リール１３４ｃに配置された「ＢＡＲ」図柄を有効ラインＡ上に直線的に表示することができる。この時点では、遊技者は、当選種別「特殊リプレイ１」に当選しているか、当選種別「特殊リプレイ２」に当選しているか把握できないので、所定の遊技特典の付与を示す当選種別「特殊リプレイ１」に当選していることを期待して、中リール１３４ｂに配置された「ＢＡＲ」図柄を有効ラインＡ上に表示するようにストップボタンスイッチ１３０ｂを操作する。しかし、ここでは、当選種別「特殊リプレイ２」に当選しているので、中リール１３４ｂに配置された「ＢＡＲ」図柄が有効ラインＡ上に表示されることはなく、図１４（ｅ）のように、「ベル」図柄が有効ラインＡ上に表示されることとなる。
【０１２０】
こうして、遊技者は、当選種別「特殊リプレイ１」の当選時に、遊技特典付与抽選により所定の遊技特典を付与することが決定されると、各回転リール１３４ａ、１３４ｂ、１３４ｃに配置された「ＢＡＲ」図柄が有効ラインＡ上に表示されることで、その遊技において、所定の遊技特典が付与されたことを把握することができる。また、当選種別「特殊リプレイ２」の当選時には、所定の遊技特典が付与されることに期待するものの、各回転リール１３４ａ、１３４ｂ、１３４ｃに配置された「ＢＡＲ」図柄を有効ラインＡ上に直線的に表示することができず、その遊技において、所定の遊技特典が付与されていないことを把握することとなる。
【０１２１】
（擬似ボーナス遊技における当選確率抽選）
また、当選種別抽選手段３０４は、擬似ボーナス遊技状態中に、当選種別抽選の抽選結果に応じて、上述した遊技特典付与抽選における付与当選確率を、以後擬似ボーナス遊技状態が終了条件を満たすまで高める（高めた状態を擬似ボーナス遊技状態が終了条件を満たすまで維持する）か否かを当選確率抽選により決定する。かかる付与当選確率は、例えば、１／２００、１／１５０、１／１００、１／５０、１／２０と５段階（ランク）あり、擬似ボーナス遊技状態開始時の初期値は抽選により、例えば１／２００に決定し、当選確率抽選により付与当選確率を、以後擬似ボーナス遊技状態が終了条件を満たすまで高めることに決定すると、１段階ずつ付与当選確率が上昇することになり（例えば、１／２００から１／１５０に高まる）、その擬似ボーナス遊技中は、降下することがない。かかる当選確率抽選を主制御基板２００で行うのは、副制御基板２０２における遊技特典付与抽選のみならず、救済リール演出における所定の遊技特典が付与される確率を付与当選確率として管理するためである。そして、付与当選確率の段階が上昇すると、その旨副制御基板２０２に伝達され、演出実行手段３３８は、その旨、液晶表示部１３８を通じ、例えば背景の色を変更して（白→青→黄→緑→赤）報知する。したがって、遊技者は、付与当選確率が上がったことを把握するので、遊技特典が付与される期待感を高めることができる。
【０１２２】
当選確率抽選は、当選種別抽選の抽選結果、特定の１または複数の当選種別の当選に応じて行われるとしてもよい。例えば、当選種別「特殊リプレイ１」の当選時に、副遊技状態遷移手段３３４が遊技特典付与抽選により所定の遊技特典を付与することを決定しなかった（不当選）場合、当選種別抽選手段３０４は、遊技者の操作を通じてその旨把握して当選確率抽選を行う。こうして、当選種別「特殊リプレイ１」に当選した場合に、遊技特典付与抽選に外れたとしても、当選確率抽選が実行され、付与当選確率が上昇する可能性が残るので、遊技者の期待感を持続させることができる。ここでは、特典付与当選種別として当選種別「特殊リプレイ１」を挙げて説明したが、他の当選種別に応じて当選確率抽選が行われてもよいのは言うまでもない。
【０１２３】
また、当選種別抽選の抽選結果によっては、特定の１または複数の当選種別が当選すると、遊技特典付与抽選に必ず当選する、すなわち、当選種別抽選手段３０４が必ず付与当選確率を１段階上昇させるとしてもよい。例えば、当選種別「特殊リプレイ２」の当選時には、上述したように、遊技者は、所定の遊技特典が付与されるのを期待するものの、当選役「特殊リプレイ２」に対応する図柄組み合わせが有効ラインＡ上に表示されて、所定の遊技特典が付与されることはない。しかし、所定の遊技特典が付与されなかったとしても、例えば、かかる当選種別「特殊リプレイ２」の当選によって付与当選確率を必ず上昇させるとすることで、所定の遊技特典の付与如何に拘わらず、遊技者の期待感を持続させることができる。
【０１２４】
（擬似ボーナス遊技における延長抽選）
また、副遊技状態遷移手段３３４は、擬似ボーナス遊技状態中に、当選種別抽選の抽選結果に応じて、上述した当選確率抽選と並行して、擬似ボーナス遊技状態に滞在する遊技数を延長するか否かを延長抽選により決定する。本実施形態においては、擬似ボーナス遊技はナビ回数により管理されているので、ここでの延長抽選は、ナビ回数（例えば、３回）を加算（上乗せ）するか否かを決定する。そして、演出実行手段３３８は、このように加算されたナビ回数を、液晶表示部１３８を通じて報知する。かかる報知タイミングは、ナビ回数が加算された遊技でもよいし、その後の任意の遊技でもよい。
【０１２５】
このように、遊技特典付与抽選に重ねて、その遊技特典付与抽選における付与当選確率を高める当選確率抽選と、残り遊技数を増やす延長抽選とを行うことで、以下のような相乗効果が生じる。すなわち、延長抽選によりナビ回数が加算されると、その分、当選確率抽選の機会が増え、付与当選確率が高まる可能性が高くなる。そして、延長抽選によりナビ回数が加算され、それに伴って付与当選確率が高まると、遊技特典付与抽選の機会が増えるのみならず、その付与当選確率が高まるので、遊技特典が付与される可能性が相乗的に高くなる。したがって、遊技者は、遊技の進行に応じてナビ回数の加算と付与当選確率の上昇とにより、遊技特典が付与される期待感を相乗的に高めることができる。
【０１２６】
（擬似ボーナス遊技における通常遊技状態移行抽選の移行当選確率）
ところで、図１１を用いて説明したように、当該擬似ボーナス遊技状態が通常遊技状態から移行したものであり、上述した遊技特典付与抽選等、何らかの契機により遊技特典が付与されない場合、副遊技状態遷移手段３３４は、遊技状態を通常遊技状態に戻すこととなる。ただし、通常遊技状態のうち、ノーマル通常遊技状態に戻るとは限らず、所定の条件を満たすことで、例えば、副遊技状態遷移手段３３４による通常遊技状態移行抽選の抽選結果に応じてチャンス通常遊技状態に戻すことがある。ここで、通常遊技状態移行抽選は、擬似ボーナス遊技状態の終了条件を満たしたとき、遊技特典に当選していない場合に副遊技状態遷移手段３３４が行う抽選であり、擬似ボーナス遊技状態の終了後、ノーマル通常遊技状態およびチャンス通常遊技状態のいずれに移行するかが決定される。かかる通常遊技状態移行抽選については後程詳述する。
【０１２７】
そして、副制御基板２０２においては、主制御基板２００の当選確率抽選において決定される付与当選確率に対応させて、通常遊技状態移行抽選におけるチャンス通常遊技状態の当選確率（以下、単に移行当選確率という）も高める。かかる移行当選確率は、付与当選確率同様、例えば、１／２００、１／１５０、１／１００、１／５０、１／２０と５段階（ランク）あり、擬似ボーナス遊技状態開始時の初期値は例えば１／２００で、付与当選確率に従って１段階ずつ上昇する。したがって、付与当選確率同様、その擬似ボーナス遊技中は、降下することがない。ただし、その確率自体は付与当選確率と必ずしも等しくする必要はない。こうして、遊技者は、付与当選確率の上昇とともに移行当選確率の上昇も把握できるので、遊技特典が付与されなかったとしても、チャンス通常遊技状態への移行を期待することができる。
【０１２８】
（擬似ボーナス遊技の終了）
上述したように、擬似ボーナス遊技は、ボーナス当選種別の当選時にボーナス当選役（当選役「ビッグリプレイ」または当選役「レギュラーリプレイ」）の入賞条件となる操作態様によって操作されることで開始され、当選した擬似ボーナス遊技に設定されたナビ回数に到達すると（終了条件を満たすと）終了する。しかし、主制御基板２００では、副制御基板２０２が管理する遊技状態を把握することができないので、ボーナス当選役の入賞条件となる操作態様によって操作された後、選択当選種別に当選した遊技のうち、正解操作態様による操作が行われる遊技が所定の回数（ここでは２回）連続したことをもって擬似ボーナス遊技が開始されたと判断し、外部出力手段３１８は、擬似ボーナス遊技状態に対応する外部信号をＯＮする。また、主制御基板２００では、選択当選種別に当選した遊技のうち、正解操作態様による操作が行われない遊技が所定の回数（ここでは２回）連続したことをもって擬似ボーナス遊技が終了したと判断し、外部出力手段３１８は、擬似ボーナス遊技に対応する外部信号をＯＦＦする。そして、主制御基板２００では、かかる外部信号のＯＦＦに応じ、擬似ボーナス遊技中の特典付与当選種別に当選した遊技において特典付与当選役の入賞条件となる操作態様で操作が行われることが１度もなかった場合、当選種別抽選手段３０４が所定の遊技特典を付与するか否か決定し、リール制御手段３０６が、救済リール演出によってその結果を報知する。
【０１２９】
したがって、副制御基板２０２では、当選した擬似ボーナス遊技に設定されたナビ回数に到達して擬似ボーナス遊技が終了してから、救済リール演出が実行される可能性がある遊技まで複数の遊技が消化される。このとき、副制御基板２０２では、救済リール演出が実行されるか否かの情報を有しているので、演出実行手段３３８は、救済リール演出が実行されることを示唆する演出を行うことができる。
【０１３０】
（擬似ボーナス遊技の救済リール演出）
当選種別抽選手段３０４は、救済リール演出抽選により救済リール演出を実行することが仮決定され、かつ、選択当選種別に当選した遊技のうち、正解操作態様による操作が行われる遊技が所定の回数（ここでは２回）連続してから、選択当選種別に当選した遊技のうち、正解操作態様による操作が行われない遊技が所定の回数（ここでは２回）連続するまでの間に、当選種別「特殊リプレイ１」に当選した遊技において特典付与当選役の入賞条件となる操作態様で操作が行われる（遊技特典付与抽選で所定の遊技特典を付与することが決定される）ことが１度もなかった場合、救済リール演出を行う。したがって、当選種別「特殊リプレイ１」に当選した遊技において特典付与当選役の入賞条件となる操作態様で操作が１度でも行われると、救済リール演出抽選により救済リール演出を実行することが仮決定されていても、救済リール演出は実行されない。ただし、遊技特典付与抽選以外の契機で所定の遊技特典に当選した場合、例えば、当選種別「チェリー」に当選すると所定の遊技特典の付与が確定する状況下で、当選種別「チェリー」に当選した場合、この限りではなく、救済リール演出を実行しない事由にはならない。
【０１３１】
そして、リール制御手段３０６は、所定の契機、例えば、スタートスイッチ１２８の操作に応じて、複数の回転リール１３４ａ、１３４ｂ、１３４ｃを回転させ、当選種別抽選手段３０４は、所定の遊技特典を付与するか否か救済リール付与抽選により決定し、所定の遊技特典が付与されると、リール制御手段３０６は、複数の回転リール１３４ａ、１３４ｂ、１３４ｃそれぞれに配置された「ＢＡＲ」図柄（特定の図柄）の組み合わせを図柄表示窓１３６内で直線的に表示し、所定の遊技特典が付与されないと、「ＢＡＲ」図柄の組み合わせを図柄表示窓１３６内で直線的には表示しない。そして、コマンド送信手段３１６は、所定の遊技特典が付与されたか否かの結果を副制御基板２０２に送信する。以下、救済リール演出の具体的な動作を説明する。
【０１３２】
例えば、図１５（ａ）に示すように、遊技者によるベットスイッチ１２６の操作、または、メダル投入部１２４へのメダルの投入を通じ、ベット手段３０２がメダルをベットする。そして、図１５（ｂ）に示すように、遊技者によるスタートスイッチ１２８の操作（所定の契機）に基づいて、当選種別抽選手段３０４が当選種別抽選により当選種別を決定するとともに、所定の遊技特典を付与するか否か救済リール付与抽選により決定し、リール制御手段３０６が、回転リール１３４ａ、１３４ｂ、１３４ｃの回転を開始し、リール制御手段３０６による救済リール演出が実行される。例えば、所定の遊技特典を付与することが決定されると、リール制御手段３０６は、図１５（ｃ）のように、各回転リール１３４ａ、１３４ｂ、１３４ｃに配置された「ＢＡＲ」図柄を図柄表示窓１３６内で仮停止し、有効ラインＡ上に直線的に表示する。そして、所定時間、その表示状態を維持すると、図１５（ｄ）のように、回転リール１３４ａ、１３４ｂ、１３４ｃの回転を自動的に再開し、ストップボタンスイッチ１３０ａ、１３０ｂ、１３０ｃの操作を有効にする。そして、遊技者は、報知された操作順に従ってストップボタンスイッチ１３０ａ、１３０ｂ、１３０ｃを操作し、図１５（ｅ）のように、図１５（ｂ）におけるスタートスイッチ１２８の操作に基づく当選種別抽選の抽選結果を得る。また、所定の遊技特典を付与されないことが決定されると、リール制御手段３０６は、図１５（ｂ）の後、図１５（ｆ）のように、各回転リール１３４ａ、１３４ｂ、１３４ｃに配置された「ＢＡＲ」図柄が図柄表示窓１３６内で不規則に仮停止し、有効ラインＡ上に直線的に表示しない。
【０１３３】
このとき、当選種別抽選手段３０４が所定の遊技特典を付与することを決定する確率は、付与当選確率を参照することができる。したがって、遊技者は、擬似ボーナス遊技中に付与当選確率が上がっていれば、かかる救済リール演出においても、遊技特典が付与される期待感を高めることができる。
【０１３４】
こうして、遊技者は、擬似ボーナス遊技中に遊技特典付与抽選により遊技特典が付与されなかった場合に、再度、遊技特典が付与される機会を得ることができるので、遊技特典が付与される期待感を高めることができる。また、その再度の機会に、救済リール演出といった回転リール１３４a、１３４ｂ、１３４ｃを用いたインパクトの強い演出によって遊技特典が付与されたか否かの結果を把握できるので、倦怠感を覚えることなく、遊技の興趣を高めることが可能となる。
【０１３５】
ところで、かかる救済リール演出は、遊技特典が付与されなかった遊技者への救済措置として用いられるので、擬似ボーナス遊技の終了後に実行されるのが好ましい。しかし、上述したように、主制御基板２００では、副制御基板２０２で管理している遊技状態を把握することができないので、選択当選種別に当選した遊技のうち、正解操作態様による操作が行われない遊技が所定の回数（ここでは２回）連続したことをもって擬似ボーナス遊技が終了したと判断してしまう。したがって、擬似ボーナス遊技が終了していないのに、遊技者が、操作を誤って、または、意図的に、正解操作態様と異なる態様で操作することで、選択当選種別に当選した遊技のうち、正解操作態様による操作が行われない遊技が所定の回数連続する場合が生じ得る。そうすると、主制御基板２００では、擬似ボーナス遊技状態が終了していないにも拘わらず、擬似ボーナス遊技が終了したと誤認識して救済リール演出を開始する場合がある。
【０１３６】
仮に、擬似ボーナス遊技状態中に救済リール演出が行われる機会が生じると、擬似ボーナス遊技が開始されてから救済リール演出が行われる機会までの遊技数が、本来の擬似ボーナス遊技の終了までに比べて短くなる。そうすると、擬似ボーナス遊技中に遊技特典付与抽選により遊技特典が付与される確率が低くなるので、結果的に救済リール演出において遊技特典が付与される確率が高くなる。したがって、遊技の公平性を保つべく、このような擬似ボーナス遊技状態中の救済リール演出を有効とすべきではない。そこで、本実施形態では、主制御基板２００において救済リール演出が行われたとしても、副制御基板２０２では、擬似ボーナス遊技状態中の救済リール演出を無効とし、演出実行手段３３８は、擬似ボーナス遊技状態中に救済リール演出が実行されると、救済リール演出が無効である旨、例えば、「復帰中」等のメッセージにより、液晶表示部１３８を通じて報知する。そして、擬似ボーナス遊技が終了してから、正解操作態様による操作が行われない遊技が所定の回数連続して外部出力手段３１８が擬似ボーナス遊技に対応する外部信号をＯＦＦするまでの間、演出実行手段３３８は、救済リール演出が実行されない旨の演出を実行する。
【０１３７】
ただし、擬似ボーナス遊技中に救済リール演出が実行された場合、画一的に救済リール演出を行わないとすると、やはり遊技の公平性を損なうこととなるので、この場合、副制御基板２０２において、救済リール演出に相当する演出を実行し、所定の遊技特典を付与する機会を与える。具体的には、救済リール演出抽選により救済リール演出を実行することが仮決定され、かつ、擬似ボーナス遊技が開始されてから外部出力手段３１８が擬似ボーナス遊技に対応する外部信号をＯＦＦするまでの間に、遊技特典付与抽選により遊技特典を付与する決定を１度も行わなかった場合、副遊技状態遷移手段３３４が、所定の遊技特典を付与するか否か決定し、所定の遊技特典を付与すると決定されると、演出実行手段３３８が、その旨を、液晶表示部１３８を通じて報知する。
【０１３８】
こうして、意図的に救済リール演出が行われる確率を高くして遊技の公平性を損なう事態を回避しつつ、擬似ボーナス遊技終了時に所定の遊技特典を受け得る救済措置を実行して遊技者の利益を守ることができる。
【０１３９】
（擬似ボーナス遊技の通常遊技状態移行抽選）
こうして、擬似ボーナス遊技状態の終了条件を満たし、外部出力手段３１８が擬似ボーナス遊技に対応する外部信号をＯＦＦした後、救済リール演出の実行有無に拘わらず、結果的に遊技特典が付与されない（遊技特典に当選していない）と、副遊技状態遷移手段３３４は、通常遊技状態移行抽選により、ノーマル通常遊技状態およびチャンス通常遊技状態のいずれに移行するか決定する。このとき、通常遊技状態移行抽選では、当選確率抽選によって決定された付与当選確率に対応する移行当選確率に基づいてチャンス通常遊技状態への移行が決定される。
【０１４０】
以上、説明した擬似ボーナス遊技の進行によって、所定の遊技特典が付与されれば、例えば、当該擬似ボーナス遊技状態が通常遊技状態から移行したものであれば、擬似ボーナス遊技状態終了後、ノーマルＡＴ遊技状態に移行し、通常ＡＴ遊技状態（ノーマルＡＴ遊技状態またはチャンスＡＴ遊技状態）から移行したものであれば、通常ＡＴ遊技（ノーマルＡＴ遊技）の継続回数が加算された状態で通常ＡＴ遊技状態に移行する。
【０１４１】
以下、主制御基板２００、副制御基板２０２における具体的処理をフローチャートに基づいて説明する。
【０１４２】
（主制御基板２００のメイン処理）
図１６は、主制御基板２００のメイン処理を示したフローチャートである。ここでは、まず、主制御基板２００のメイン処理に沿って、初期化後の１遊技の概略を説明し、その後、各処理の詳細について説明する。また、ここでは、本実施形態の特徴に関係する処理について詳細に説明し、本実施形態の特徴と無関係の構成については説明を省略する。また、詳細な説明は省略するが、各処理が遂行される際、各処理において用いられるスイッチ（ベットスイッチ１２６、スタートスイッチ１２８、ストップボタンスイッチ１３０ａ、１３０ｂ、１３０ｃ）は、処理の開始時に有効化され、処理の終了時に無効化される。
【０１４３】
（ステップＳ１００）
電源スイッチ１４８を介してスロットマシン１００の電源が投入され、通電状態になると、初期化手段３００は、遊技開始に備え初期化処理を実行する。初期化手段３００は、電源が投入されている間、随時バックアップデータを生成し、そのバックアップデータをメインＲＡＭ２００ｃに保持している。したがって、不意の電断が生じたとしても、この初期化処理において、保持されたバックアップデータを用い電断前の状態に復帰させることができる。例えば、回転リール１３４ａ、１３４ｂ、１３４ｃの回転中に不意の電断が起きたとしても、復帰動作後に再度各回転リール１３４ａ、１３４ｂ、１３４ｃが回転している状態から開始される。したがって、初期化処理では、基本的に、メインＲＡＭ２００ｃの初期化（ＲＡＭクリア）は行われない。
【０１４４】
（ステップＳ２００）
続いて、遊技者によるベットスイッチ１２６の操作、または、メダル投入部１２４へのメダルの投入を通じ、ベット手段３０２がメダルをベットする。また、コマンド決定手段３１４は、その操作がなされたことを示す投入コマンドを生成し、コマンド送信手段３１６は、生成された投入コマンドを副制御基板２０２に送信する。
【０１４５】
（ステップＳ３００）
次に、当選種別抽選手段３０４は、スタートスイッチ１２８に対する遊技開始操作を有効化し、スタートスイッチ１２８の操作待ち状態に移行する。そして、当選種別抽選手段３０４は、遊技者によるスタートスイッチ１２８の操作に応じて、当選種別抽選を実行する。かかる当選種別抽選手段３０４による抽選処理Ｓ３００は後程詳述する。
【０１４６】
（ステップＳ４００）
スタートスイッチ１２８が操作されると、リール制御手段３０６は、ステッピングモータ２６２を駆動して左リール１３４ａ、中リール１３４ｂ、右リール１３４ｃを回転させる。このリール回転処理においては、前回の１遊技における左リール１３４ａ、中リール１３４ｂ、右リール１３４ｃの回転開始時点から所定の時間（例えば４．１秒）が経過すると（ウェイト）、当該遊技における左リール１３４ａ、中リール１３４ｂ、右リール１３４ｃの回転を開始し、左リール１３４ａ、中リール１３４ｂ、右リール１３４ｃの全てが定速回転となったところで、ステップＳ５００に処理を移す。また、リール制御手段３０６は、リール演出を実行する場合もある。かかるリール制御手段３０６によるリール回転処理Ｓ４００は後程詳述する。
【０１４７】
（ステップＳ５００）
続いて、リール制御手段３０６は、ストップボタンスイッチ１３０ａ、１３０ｂ、１３０ｃを有効化し、遊技者によるストップボタンスイッチ１３０ａ、１３０ｂ、１３０ｃの操作を受け付けると、その操作に対応する回転リール（左リール１３４ａ、中リール１３４ｂ、右リール１３４ｃのいずれか）を停止制御する。また、外部出力手段３１８は、ストップボタンスイッチ１３０ａ、１３０ｂ、１３０ｃの操作に基づき、スロットマシン１００の外部信号を出力する。かかるリール制御手段３０６によるリール停止処理Ｓ５００は後程詳述する。
【０１４８】
（ステップＳ６００）
次に、判定手段３０８は、図５（ａ）に示した有効ラインＡ上に表示された図柄組み合わせが予め定められたどの組み合わせに相当するかを判定し、その図柄組み合わせに応じて遊技状態の変更やリプレイに際して要求される種々の処理を実行する。また、コマンド決定手段３１４は、有効ラインＡ上に表示された図柄組み合わせや、有効ラインＡ上に小役に対応する図柄組み合わせが表示された場合におけるメダルの払出枚数等を含む入賞コマンドを生成し、コマンド送信手段３１６は、生成された入賞コマンドを副制御基板２０２に送信する。また、主遊技状態遷移手段３１２は、ボーナス成立遊技状態において当選役「ＢＢ」に対応する図柄組み合わせが有効ラインＡ上に表示されたことに基づき、遊技状態をボーナス成立遊技状態からボーナス遊技状態へ遷移させる。また、外部出力手段３１８は、判定手段３０８によって判定された結果に基づき、スロットマシン１００の外部信号を出力する。
【０１４９】
（ステップＳ７００）
続いて、払出制御手段３１０は、ステップＳ６００における判定結果に基づき、例えば、有効ラインＡ上に小役に対応する図柄組み合わせが表示されると、当該小役に対応するメダルの払出処理を実行し、有効ラインＡ上にリプレイ役に対応する図柄組み合わせが表示されると、自動的に次遊技のベットを行うための処理を実行する。また、主遊技状態遷移手段３１２は、ボーナス遊技状態においてメダルの所定枚数の払い出しが実行されると、遊技状態をボーナス遊技状態からボーナス非成立遊技状態へ遷移させる。このように、払出制御手段３１０は、有効ラインＡ上に表示された図柄組み合わせに対応して種々の処理を遂行し、当該１遊技を終了する。また、コマンド決定手段３１４は、メダルの払出処理がなされた場合、払出処理がなされたことを示す払出コマンドを生成し、コマンド送信手段３１６は、生成された払出コマンドを副制御基板２０２に送信する。
【０１５０】
ステップＳ２００からステップＳ７００までの一連の処理を通じて１遊技が実行される。以後は、ステップＳ２００からステップＳ７００までを繰り返すこととなる。
【０１５１】
（抽選処理Ｓ３００）
図１７は、上記ステップＳ３００の抽選処理を示したフローチャートである。
【０１５２】
（ステップＳ３０１）
まず、当選種別抽選手段３０４は、スタートスイッチ１２８が操作されたか否か判定する。その結果、スタートスイッチ１２８が操作されていれば、主制御基板２００の乱数発生器２００ｄによって更新された種々の乱数、例えば、１の当選種別抽選乱数を取得してステップＳ３０２に処理を移し、スタートスイッチ１２８が操作されていなければ、ステップＳ３０１の処理を繰り返す。
【０１５３】
（ステップＳ３０２）
上記ステップＳ３０１においてスタートスイッチ１２８が操作されたと判定されれば、当選種別抽選手段３０４は、図９および図１０に示した複数の当選種別抽選テーブルから、現在設定されている遊技状態に対応する１の当選種別抽選テーブルを決定するとともに、ステップＳ３０１で取得した当選種別抽選乱数が、決定した当選種別抽選テーブルにおけるいずれの当選領域に対応するか判定し、判定された当選領域の当選種別またはハズレを抽選結果として決定する（当選種別抽選）。
【０１５４】
（ステップＳ３０３）
次に、主遊技状態遷移手段３１２は、現在の遊技状態がボーナス非成立遊技状態であり、かつ、上記ステップＳ３０２の当選種別抽選において当選種別「ＢＢ」に当選したか否か判定する。その結果、ボーナス非成立遊技状態であり、かつ、当選種別「ＢＢ」に当選していれば、ステップＳ３０４に処理を移し、ボーナス非成立遊技状態ではない、または、当選種別「ＢＢ」に当選していなければ、ステップＳ３０５に処理を移す。
【０１５５】
（ステップＳ３０４）
上記ステップＳ３０３において、現在の遊技状態がボーナス非成立遊技状態であり、かつ、当選種別「ＢＢ」に当選していると判定されれば、主遊技状態遷移手段３１２は、遊技状態をボーナス非成立遊技状態からボーナス成立遊技状態へ遷移させる。
【０１５６】
（ステップＳ３０５）
続いて、当選種別抽選手段３０４は、主救済リール演出フラグと、メインＲＡＭ２００ｃに保持された操作履歴から前回の遊技における操作を参照し、主救済リール演出フラグが０であり、かつ、前回の遊技において当選種別「ボーナスリプレイ１」または当選種別「ボーナスリプレイ２」が当選し、その遊技で遊技者が当選役「ビッグリプレイ」または当選役「レギュラーリプレイ」の入賞条件となる操作態様による操作を行ったか否か判定する。その結果、主救済リール演出フラグおよび操作の条件をいずれも満たせば、ステップＳ３０６に処理を移し、いずれかの条件を満たしていなければ、ステップＳ３０９に処理を移す。ここで、主救済リール演出フラグは、主制御基板２００において、救済リール演出を実行するか否かを示すフラグであり、不実行＝０、実行準備＝１、実行＝２で示される。かかる主救済リール演出フラグは、初期化処理Ｓ１００において０にリセットされる。また、操作履歴は、当選種別とその遊技での遊技者の操作との組み合わせを所定の遊技数分保持したものである。こうして、主救済リール演出フラグおよび操作の条件をいずれも満たす場合にのみ、救済リール演出抽選が実行される。
【０１５７】
（ステップＳ３０６）
上記ステップＳ３０５において主救済リール演出フラグおよび操作のいずれの条件も満たしていると判定されれば、当選種別抽選手段３０４は、救済リール演出を実行するか否かを救済リール演出抽選により仮決定する。
【０１５８】
（ステップＳ３０７）
続いて、当選種別抽選手段３０４は、救済リール演出を実行することを決定したか否か判定する。その結果、救済リール演出を実行することを決定していれば、ステップＳ３０８に処理を移し、救済リール演出を実行することを決定していなければ、ステップＳ３０９に処理を移す。
【０１５９】
（ステップＳ３０８）
ステップＳ３０７において救済リール演出を実行することを決定していると判定されれば、当選種別抽選手段３０４は、主救済リール演出フラグを１に設定し、救済リール演出の準備状態に移行する。
【０１６０】
（ステップＳ３０９）
続いて、当選種別抽選手段３０４は、メインＲＡＭ２００ｃに保持された外部信号の状態を参照し、擬似ボーナス遊技状態に対応する外部信号がＯＮであり、すなわち、副制御基板２０２で管理する遊技状態が擬似ボーナス遊技状態であり、かつ、メインＲＡＭ２００ｃに保持された操作履歴を参照し、前回の遊技が、当選種別「特殊リプレイ１」が当選した遊技で当選役「特殊リプレイ１」の入賞条件となる操作態様による操作が行われていない遊技であったか否か判定する。その結果、擬似ボーナス遊技状態に対応する外部信号がＯＮであり、かつ、当選役「特殊リプレイ１」の入賞条件となる操作態様による操作が行われていない遊技であれば、ステップＳ３１０に処理を移し、外部信号がＯＦＦであるか、または、当選役「特殊リプレイ１」の入賞条件となる操作態様による操作が行われている遊技であれば、ステップＳ３１１に処理を移す。こうして、擬似ボーナス遊技中に当選確率抽選を実現できる。
【０１６１】
（ステップＳ３１０）
上記ステップＳ３０９において擬似ボーナス遊技状態に対応する外部信号がＯＮであり、かつ、当選役「特殊リプレイ１」の入賞条件となる操作態様による操作が行われていない遊技であると判定されれば、当選種別抽選手段３０４は、副制御基板２０２の遊技特典付与抽選における付与当選確率を、以後擬似ボーナス遊技状態が終了条件を満たすまで高めるか否かを当選確率抽選により決定する。
【０１６２】
（ステップＳ３１１）
次に、当選種別抽選手段３０４は、メインＲＡＭ２００ｃに保持された外部信号の状態を参照し、擬似ボーナス遊技状態に対応する外部信号がＯＮであり、かつ、メインＲＡＭ２００ｃに保持された操作履歴を参照し、前回の遊技において当選種別「特殊リプレイ２」が当選したか否か判定する。その結果、擬似ボーナス遊技状態に対応する外部信号がＯＮであり、かつ、当選役「特殊リプレイ２」が当選していれば、ステップＳ３１２に処理を移し、外部信号がＯＦＦであるか、または、当選役「特殊リプレイ２」に当選していなければ、ステップＳ３１３に処理を移す。
【０１６３】
（ステップＳ３１２）
上記ステップＳ３１１において擬似ボーナス遊技状態に対応する外部信号がＯＮであり、かつ、当選役「特殊リプレイ２」が当選していると判定されれば、当選種別抽選手段３０４は、遊技特典付与抽選における付与当選確率を定められた範囲で１段階高める。
【０１６４】
（ステップＳ３１３）
続いて、当選種別抽選手段３０４は、主救済リール演出フラグと、メインＲＡＭ２００ｃに保持された前回の遊技における擬似ボーナス遊技状態に対応する外部信号の状態とを参照し、主救済リール演出フラグが２であり、かつ、前回の遊技において外部信号がＯＮからＯＦＦに移行されたか否か判定する。その結果、主救済リール演出フラグおよび外部信号の条件をいずれも満たせば、ステップＳ３１４に処理を移し、いずれかの条件を満たしていなければ、ステップＳ３１５に処理を移す。こうして、主救済リール演出フラグおよび外部信号の条件をいずれも満たす場合にのみ、救済リール付与抽選が実行される。
【０１６５】
（ステップＳ３１４）
上記ステップＳ３１３において主救済リール演出フラグおよび外部信号のいずれの条件も満たしていると判定されれば、当選種別抽選手段３０４は、付与当選確率を参照して、所定の遊技特典を付与するか否か救済リール付与抽選により決定する。
【０１６６】
（ステップＳ３１５）
そして、コマンド決定手段３１４は、ステップＳ３０２における当選種別抽選の抽選結果（当選種別またはハズレ）や遊技の進行に関する情報（例えば、救済リール演出抽選、当選確率抽選、救済リール付与抽選の抽選結果）等を含む当選種別コマンドを生成し、コマンド送信手段３１６は、生成された当選種別コマンドを副制御基板２０２に送信して、当該抽選処理Ｓ３００を終了する。
【０１６７】
（リール回転処理Ｓ４００）
図１８は、上記ステップＳ４００のリール回転処理を示したフローチャートである。
【０１６８】
（ステップＳ４０１）
リール制御手段３０６は、前回の１遊技における左リール１３４ａ、中リール１３４ｂ、右リール１３４ｃのいずれかの回転開始時点から所定のウェイト時間（例えば４．１秒）が経過したか否か判定する。その結果、ウェイト時間が経過していれば、ステップＳ４０２に処理を移し、ウェイト時間が経過していなければ、ステップＳ４０１の処理を繰り返す。
【０１６９】
（ステップＳ４０２）
上記ステップＳ４０１においてウェイト時間が経過していると判定されれば、リール制御手段３０６は、回転リール１３４ａ、１３４ｂ、１３４ｃの回転を開始する。
【０１７０】
（ステップＳ４０３）
リール制御手段３０６は、主救済リール演出フラグと、メインＲＡＭ２００ｃに保持された前回の遊技における擬似ボーナス遊技状態に対応する外部信号の状態とを参照し、主救済リール演出フラグが２であり、かつ、前回の遊技において外部信号がＯＮからＯＦＦに移行されたか否か判定する。その結果、主救済リール演出フラグおよび外部信号の条件をいずれも満たせば、ステップＳ４０４に処理を移し、いずれかの条件を満たしていなければ、当該リール回転処理Ｓ４００を終了する。こうして、当選種別および操作態様の条件をいずれも満たす場合にのみ、救済リール演出が実行される。
【０１７１】
（ステップＳ４０４）
上記ステップＳ４０３において主救済リール演出フラグおよび外部信号のいずれの条件も満たしていると判定されれば、リール制御手段３０６は、図１５を用いて説明した救済リール演出を実行する。具体的に、リール制御手段３０６は、ステップＳ３１４の救済リール付与抽選において所定の遊技特典を付与することが決定されれば、図１５（ｃ）のように、複数の回転リール１３４ａ、１３４ｂ、１３４ｃそれぞれに配置された「ＢＡＲ」図柄（特定の図柄）の組み合わせを図柄表示窓１３６内で直線的に仮停止し、所定の遊技特典が付与されないと、図１５（ｆ）のように、「ＢＡＲ」図柄の組み合わせが図柄表示窓１３６内で直線的に表示されないように仮停止する。
【０１７２】
（ステップＳ４０５）
リール制御手段３０６は、ステップＳ４０５の仮停止状態を所定時間維持すると、図１５（ｄ）のように、回転リール１３４ａ、１３４ｂ、１３４ｃの回転を自動的に再開する。このとき、本実施形態では、回転リール１３４ａ、１３４ｂ、１３４ｃの回転開始タイミングを異ならせている。具体的に、回転リール１３４ａ、１３４ｂ、１３４ｃが仮停止している状態において、第１遅延時間、第２遅延時間、第３遅延時間をランダムに抽選し、まず、左リール１３４ａを回転させ、第１遅延時間経過後に中リール１３４ｂを回転させ、第２遅延時間経過後に右リール１３４ｃを回転させ、第３遅延時間経過後に当該リール回転処理Ｓ４００を終了してストップスイッチ１３０の操作を有効化する。
【０１７３】
（ステップＳ４０６）
次に、リール制御手段３０６は、救済リール演出の完了に応じて、主救済リール演出フラグを０にリセットする。
【０１７４】
（リール停止処理Ｓ５００）
図１９は、上記ステップＳ５００のリール停止処理を示したフローチャートである。
【０１７５】
（ステップＳ５０１）
リール制御手段３０６は、ストップボタンスイッチ１３０ａ、１３０ｂ、１３０ｃのいずれかが操作されたか否か判定する。その結果、ストップボタンスイッチ１３０ａ、１３０ｂ、１３０ｃのいずれかが操作されれば、ステップＳ５０２に処理を移し、ストップボタンスイッチ１３０ａ、１３０ｂ、１３０ｃのいずれも操作されなければ、ステップＳ５０１からの処理を繰り返す。
【０１７６】
（ステップＳ５０２）
コマンド決定手段３１４は、ストップボタンスイッチ１３０ａ、１３０ｂ、１３０ｃのいずれかの操作がなされると、操作がなされたストップボタンスイッチ１３０ａ、１３０ｂ、１３０ｃの情報を示す停止コマンド（第１停止コマンド、第２停止コマンド、第３停止コマンド）を操作の度に生成し、コマンド送信手段３１６は、生成された停止コマンドを順次、副制御基板２０２に送信する。
【０１７７】
（ステップＳ５０３）
次に、リール制御手段３０６は、操作されたストップボタンスイッチ１３０ａ、１３０ｂ、１３０ｃに対応する回転リール１３４ａ、１３４ｂ、１３４ｃをそれぞれ停止制御する。
【０１７８】
（ステップＳ５０４）
続いて、リール制御手段３０６は、操作したストップボタンスイッチ１３０ａ、１３０ｂ、１３０ｃに対応する１の回転リール（左リール１３４ａ、中リール１３４ｂ、右リール１３４ｃのいずれか）が完全に停止したか否か判定する。その結果、１の回転リール１３４ａ、１３４ｂ、１３４ｃが停止していれば、ステップＳ５０５に処理を移し、まだ停止していなければ、ステップＳ５０４の処理を繰り返す。
【０１７９】
（ステップＳ５０５）
上記ステップＳ５０４において操作したストップボタンスイッチ１３０ａ、１３０ｂ、１３０ｃに対応する回転リール１３４ａ、１３４ｂ、１３４ｃが停止していると判定されれば、リール制御手段３０６は、全ての回転リール１３４ａ、１３４ｂ、１３４ｃが停止しているか否か判定する。その結果、全ての回転リール１３４ａ、１３４ｂ、１３４ｃが停止していれば、ステップＳ５０６に処理を移し、まだ停止していない回転リール１３４ａ、１３４ｂ、１３４ｃが存在すれば、ステップＳ５０１からの処理を繰り返す。
【０１８０】
（ステップＳ５０６）
上記ステップＳ５０５において全ての回転リール１３４ａ、１３４ｂ、１３４ｃが停止していると判定されれば、リール制御手段３０６は、メインＲＡＭ２００ｃに保持された操作履歴を参照し、当選種別「ボーナスリプレイ１」または当選種別「ボーナスリプレイ２」が当選した遊技で当選役「ビッグリプレイ」または当選役「レギュラーリプレイ」の入賞条件となる操作態様による操作が行われ、かつ、その後、選択当選種別に当選した遊技のうち、正解操作態様による操作が行われる遊技が所定の回数（ここでは２回）連続したか否か判定する。その結果、そのような条件で操作が行われていれば、ステップＳ５０７に処理を移し、そのような条件で操作が行われていなければ、ステップＳ５１０に処理を移す。こうして、擬似ボーナス遊技状態が開始されたことを主制御基板２００側で把握することができる。
【０１８１】
（ステップＳ５０７）
上記ステップＳ５０６において当選種別「ボーナスリプレイ１」または当選種別「ボーナスリプレイ２」が当選した遊技で当選役「ビッグリプレイ」または当選役「レギュラーリプレイ」の入賞条件となる操作態様による操作が行われ、かつ、その後、選択当選種別に当選した遊技のうち、正解操作態様による操作が行われる遊技が所定の回数（ここでは２回）連続していると判定されれば、リール制御手段３０６は、擬似ボーナス遊技状態に対応する外部信号をＯＮする。
【０１８２】
（ステップＳ５０８）
続いて、リール制御手段３０６は、主救済リール演出フラグが１であるか否か判定する。その結果、主救済リール演出フラグが１であれば、ステップＳ５０９に処理を移し、主救済リール演出フラグが１でなければ、すなわち、０であれば、ステップＳ５１０に処理を移す。ここでは、救済リール演出抽選において救済リール演出を実行することが仮決定され、かつ、救済リール演出を実行することが仮決定された後、未だ遊技特典付与抽選において所定の遊技特典が付与されていない場合にのみ、救済リール演出を実行し得る状態に移行する。
【０１８３】
（ステップＳ５０９）
ステップＳ５０８において主救済リール演出フラグが１であると判定されれば、リール制御手段３０６は、主救済リール演出フラグを２に設定する。
【０１８４】
（ステップＳ５１０）
続いて、リール制御手段３０６は、当選種別「特殊リプレイ１」が当選した遊技で当選役「特殊リプレイ１」の入賞条件となる操作態様による操作が行われたか否か判定する。その結果、そのような条件で操作が行われていれば、ステップＳ５１１に処理を移し、そのような条件で操作が行われていなければ、ステップＳ５１２に処理を移す。
【０１８５】
（ステップＳ５１１）
上記ステップＳ５１０において当選種別「特殊リプレイ１」が当選した遊技で当選役「特殊リプレイ１」の入賞条件となる操作態様による操作が行われたと判定されれば、リール制御手段３０６は、主救済リール演出フラグを０にリセットする。こうして、所定の遊技特典が付与された場合に救済リール演出の実行をキャンセルする。
【０１８６】
（ステップＳ５１２）
続いて、リール制御手段３０６は、メインＲＡＭ２００ｃに保持された操作履歴を参照し、選択当選種別に当選した遊技のうち、正解操作態様による操作が行われない遊技が所定の回数（ここでは２回）連続したか否か判定する。その結果、そのような条件で操作が行われていれば、ステップＳ５１３に処理を移し、そのような条件で操作が行われていなければ、ステップＳ５１４に処理を移す。こうして、擬似ボーナス遊技状態が終了されたことを主制御基板２００側で把握することができる。
【０１８７】
（ステップＳ５１３）
上記ステップＳ５１２において選択当選種別に当選した遊技のうち、正解操作態様による操作が行われない遊技が所定の回数（ここでは２回）連続していると判定されれば、リール制御手段３０６は、擬似ボーナス遊技状態に対応する外部信号をＯＦＦする。
【０１８８】
（ステップＳ５１４）
続いて、リール制御手段３０６は、今回の１遊技における当選種別と、遊技者の操作態様（ここでは操作順）とを操作履歴としてメインＲＡＭ２００ｃに保持し、当該リール停止処理Ｓ５００を終了する。操作履歴は所定の遊技数分保持される。
【０１８９】
（副制御基板２０２のサブ処理）
図２０は、副制御基板２０２のサブ処理を示したフローチャートである。ここでは本実施形態の特徴に関係する処理について詳細に説明し、本実施形態の特徴と無関係の構成については説明を省略する。
【０１９０】
（ステップＳ１１００）
電源スイッチ１４８を介してスロットマシン１００の電源が投入され、通電状態になると、初期化決定手段３３０は、遊技開始に備え初期化処理を実行する。初期化決定手段３３０は、電源が投入されている間、随時バックアップデータを生成し、そのバックアップデータをサブＲＡＭ２０２ｃに保持している。
【０１９１】
（ステップＳ１２００）
コマンド受信手段３３２は、主制御基板２００からのコマンドが受信されるまで待機する。
【０１９２】
（ステップＳ１３００）
上記ステップＳ１２００においてコマンドが受信されていると判定されれば、コマンド受信手段３３２は、当該受信されたコマンドに基づいて種々の処理を実行し、ステップＳ１２００からの処理を繰り返す。
【０１９３】
（コマンド受信処理Ｓ１３００）
図２１は、上記ステップＳ１３００のコマンド受信処理を示したフローチャートである。
【０１９４】
（ステップＳ１３０１）
まず、コマンド受信手段３３２は、受信したコマンドが投入コマンドであるか否か判定する。その結果、受信したコマンドが投入コマンドであれば、ステップＳ１３０２に処理を移し、受信したコマンドが投入コマンドでなければ、ステップＳ１３０３に処理を移す。
【０１９５】
（ステップＳ１３０２）
上記ステップＳ１３０１において受信したコマンドが投入コマンドであると判定されれば、演出実行手段３３８は、次の遊技のための遊技開始準備が行われたとして、それまで実行されていた演出を所定条件下で切り換えたり、終了させる。
【０１９６】
（ステップＳ１３０３）
続いて、コマンド受信手段３３２は、受信したコマンドが当選種別コマンドであるか否か判定する。その結果、受信したコマンドが当選種別コマンドであれば、１遊技が開始されたとし、ステップＳ１３０４に処理を移し、受信したコマンドが当選種別コマンドでなければ、ステップＳ１３０７に処理を移す。
【０１９７】
（ステップＳ１３０４）
上記ステップＳ１３０３において受信したコマンドが当選種別コマンドであると判定されれば、副遊技状態遷移手段３３４は、当選種別コマンドに示される主制御基板２００が管理する遊技状態がボーナス成立遊技状態であることを条件に、当選種別コマンドに示される当選種別および副制御基板２０２で管理している遊技状態に基づき、種々の抽選処理を実行する。副遊技状態遷移手段３３４による抽選処理Ｓ１３０４は後程詳述する。
【０１９８】
（ステップＳ１３０５）
続いて、演出決定手段３３６は、当選種別コマンドに基づいて遊技の演出を決定する。ここで、通常ＡＴ遊技や擬似ボーナス遊技が実行されており、かつ、当選種別コマンドに示される当選種別が当選種別「打順ベル」である場合、正解操作態様を報知する補助演出が決定される。演出決定手段３３６による演出決定処理Ｓ１３０５は後程詳述する。
【０１９９】
（ステップＳ１３０６）
次に、演出実行手段３３８は、演出決定手段３３６によって決定された演出を実行開始する。例えば、決定された演出が補助演出であれば、演出実行手段３３８は、当該補助演出を実行する。
【０２００】
（ステップＳ１３０７）
続いて、コマンド受信手段３３２は、受信したコマンドが停止コマンドであるか否か判定する。その結果、受信したコマンドが停止コマンドであれば、ステップＳ１３０８に処理を移し、受信したコマンドが停止コマンドでなければ、ステップＳ１３０９に処理を移す。
【０２０１】
（ステップＳ１３０８）
上記ステップＳ１３０７において受信したコマンドが停止コマンドであると判定されれば、演出実行手段３３８は、その停止コマンドが、第１停止コマンド、第２停止コマンド、第３停止コマンドのいずれであるか、また、その停止操作は、ストップボタンスイッチ１３０ａ、１３０ｂ、１３０ｃのいずれになされた停止操作かを判定し、その判定結果と演出の内容に基づいて、演出態様を変動させる。
【０２０２】
（ステップＳ１３０９）
続いて、コマンド受信手段３３２は、受信したコマンドが入賞コマンドであるか否か判定する。その結果、受信したコマンドが入賞コマンドであれば、ステップＳ１３１０に処理を移し、受信したコマンドが入賞コマンドでなければ、ステップＳ１３１３に処理を移す。
【０２０３】
（ステップＳ１３１０）
上記ステップＳ１３０９において受信したコマンドが入賞コマンドであると判定されれば、演出実行手段３３８は、当該入賞コマンドに基づく演出を実行する。
【０２０４】
（ステップＳ１３１１）
続いて、副遊技状態遷移手段３３４は、副制御基板２０２で管理される遊技状態の進行状態を把握し、遊技状態の終了判定を行う。例えば、現在の遊技状態が通常ＡＴ遊技であれば、通常ＡＴ遊技カウンタを１減算し、通常ＡＴ遊技カウンタが０になると当該通常ＡＴ遊技を終了する。また、現在の遊技状態が擬似ボーナス遊技であれば、当該遊技における当選種別が当選種別「打順ベル」である場合に擬似ボーナス遊技カウンタを１減算し、擬似ボーナス遊技カウンタが０になると当該擬似ボーナス遊技を終了する。このように遊技状態が終了した場合、図１１を用いて説明した遊技状態に移行する。
【０２０５】
（ステップＳ１３１２）
次に、副遊技状態遷移手段３３４は、副制御基板２０２で管理される遊技状態の開始判定を行う。そして、通常ＡＴ遊技や擬似ボーナス遊技の開始条件を満たすと、その遊技状態が開始される。例えば、ステップＳ１３０４の抽選により通常ＡＴ遊技に当選すると、当該ステップＳ１３１２において通常ＡＴ遊技を即座に開始する。また、擬似ボーナス遊技に当選すると、その擬似ボーナス遊技に対応する当選種別の当選を待って（ビッグボーナス遊技では当選種別「ボーナスリプレイ１」の当選を待ち、レギュラーボーナス遊技では当選種別「ボーナスリプレイ２」の当選を待つ）、擬似ボーナス遊技に対応する当選役（ビッグボーナス遊技は当選役「ビッグリプレイ」、レギュラーボーナス遊技は当選役「レギュラーリプレイ」）の入賞条件となる操作態様による操作がなされた後、擬似ボーナス遊技を開始する。
【０２０６】
（ステップＳ１３１３）
続いて、コマンド受信手段３３２は、受信したコマンドが払出コマンドであるか否か判定する。その結果、受信したコマンドが払出コマンドであれば、ステップＳ１３１４に処理を移し、受信したコマンドが払出コマンドでなければ、当該コマンド受信処理Ｓ１３００を終了する。
【０２０７】
（ステップＳ１３１４）
上記ステップＳ１３１３において受信したコマンドが払出コマンドであると判定されれば、演出実行手段３３８は、当該払出コマンドに基づく演出を実行し、当該コマンド受信処理Ｓ１３００を終了する。そうすると、メダルの払出に応じて、サブクレジット表示部１５６およびサブ払出表示部１５８の数値が更新される。
【０２０８】
（抽選処理Ｓ１３０４）
図２２は、上記ステップＳ１３０４の抽選処理を示したフローチャートである。
【０２０９】
（ステップＳ１３０４−１）
副遊技状態遷移手段３３４は、当選種別コマンドに示される主制御基板２００が管理する遊技状態がボーナス成立遊技状態であることを条件に、当選種別コマンドに示される当選種別および副制御基板２０２で管理している遊技状態に基づき、サブＲＯＭ２０２ｂに保持された図１２に示したような遊技状態抽選テーブルを参照して、演出抽選乱数に基づき、特定遊技である、通常ＡＴ遊技（ノーマルＡＴ遊技、チャンスＡＴ遊技）または擬似ボーナス遊技（ビッグボーナス遊技、レギュラーボーナス遊技）のいずれかに当選しているか否か判定する。
【０２１０】
なお、ここでは、通常ＡＴ遊技の実行が決定された場合は通常ＡＴ遊技の継続回数も決定され、通常ＡＴ遊技カウンタに設定される。ここで、通常ＡＴ遊技カウンタは、通常ＡＴ遊技の残り継続回数を示すカウンタである。また、副制御基板２０２で管理している遊技状態が通常ＡＴ遊技状態であれば、副遊技状態遷移手段３３４は、通常ＡＴ遊技の継続回数の上乗せ抽選を行い、上乗せ抽選に当選すると、当選した継続回数を通常ＡＴ遊技カウンタに加算する。また、擬似ボーナス遊技の実行が決定された場合は擬似ボーナス遊技におけるナビ回数も決定され、擬似ボーナス遊技カウンタに設定される。ここで、擬似ボーナス遊技カウンタは、擬似ボーナス遊技の残りナビ回数を示すカウンタである。また、副制御基板２０２で管理している遊技状態が擬似ボーナス遊技状態であれば、副遊技状態遷移手段３３４は、擬似ボーナス遊技のナビ回数の上乗せ抽選を行い、上乗せ抽選に当選すると、当選したナビ回数を擬似ボーナス遊技カウンタに加算する。
【０２１１】
（ステップＳ１３０４−２）
続いて、副遊技状態遷移手段３３４は、擬似ボーナス遊技が開始されたか、すなわち、擬似ボーナス遊技中であるか否か判定する。その結果、擬似ボーナス遊技中であれば、ステップＳ１３０４−３に処理を移し、擬似ボーナス遊技中でなければ、ステップＳ１３０４−１２に処理を移す。
【０２１２】
（ステップＳ１３０４−３）
ステップＳ１３０４−２において擬似ボーナス遊技中であると判定されれば、副遊技状態遷移手段３３４は、当選種別コマンドに救済リール演出抽選の結果が示され、それが救済リール演出を実行することであるか否か判定する。その結果、救済リール演出を実行することが決定されていれば、ステップＳ１３０４−４に処理を移し、救済リール演出抽選の結果が示されていない、または、救済リール演出を実行することが決定されていなければ、ステップＳ１３０４−５に処理を移す。こうして、救済リール演出抽選の結果を副制御基板２０２に反映する。
【０２１３】
（ステップＳ１３０４−４）
ステップＳ１３０４−３において救済リール演出を実行することが決定されていると判定されれば、副遊技状態遷移手段３３４は、副救済リール演出フラグを２に設定する。ここで、副救済リール演出フラグは、主制御基板２００において、救済リール演出が実行されるか否かを示すフラグであり、不実行＝０、実行＝２、無効＝３で示される。かかる副救済リール演出フラグは、初期化処理Ｓ１１００において０にリセットされる。
【０２１４】
（ステップＳ１３０４−５）
続いて、副遊技状態遷移手段３３４は、副救済リール演出フラグが２であり、かつ、擬似ボーナス遊技中に外部信号がＯＦＦされたか否か判定する。その結果、副救済リール演出フラグが２であり、かつ、擬似ボーナス遊技中に外部信号がＯＦＦされると、ステップＳ１３０４−６に処理を移し、副救済リール演出フラグが２ではない、または、擬似ボーナス遊技中に外部信号がＯＦＦされなければ、ステップＳ１３０４−７に処理を移す。
【０２１５】
（ステップＳ１３０４−６）
ステップＳ１３０４−５において副救済リール演出フラグが２であり、かつ、擬似ボーナス遊技中に外部信号がＯＦＦされたと判定されれば、副遊技状態遷移手段３３４は、副救済リール演出フラグを３に設定する。こうして、救済リール演出を無効にする。
【０２１６】
（ステップＳ１３０４−７）
続いて、副遊技状態遷移手段３３４は、当選種別コマンドに示される当選種別が当選種別「特殊リプレイ１」であるか否か判定する。その結果、当選種別「特殊リプレイ１」であれば、ステップＳ１３０４−８に処理を移し、当選種別「特殊リプレイ１」でなければ、ステップＳ１３０４−１１に処理を移す。ここでは、当選種別「特殊リプレイ１」である場合に遊技特典付与抽選が実行される。
【０２１７】
（ステップＳ１３０４−８）
上記ステップＳ１３０４−７において当選種別コマンドに示される当選種別が当選種別「特殊リプレイ１」であると判定されれば、副遊技状態遷移手段３３４は、主制御基板２００から伝達された付与当選確率を参照して、所定の遊技特典を付与するか否かを遊技特典付与抽選により決定する。
【０２１８】
（ステップＳ１３０４−９）
続いて、副遊技状態遷移手段３３４は、ステップＳ１３０４−８における遊技特典付与抽選の結果が、所定の遊技特典を付与することを決定したか否か判定する。その結果、所定の遊技特典を付与することを決定していれば、ステップＳ１３０４−１０に処理を移し、所定の遊技特典を付与することを決定していなければ、ステップＳ１３０４−１１に処理を移す。
【０２１９】
（ステップＳ１３０４−１０）
ステップＳ１３０４−９において所定の遊技特典を付与することを決定していると判定されれば、副遊技状態遷移手段３３４は、副救済リール演出フラグを０に設定し、救済リール演出が行われないことを把握する。
【０２２０】
（ステップＳ１３０４−１１）
次に、副遊技状態遷移手段３３４は、当選種別抽選の抽選結果に応じて、擬似ボーナス遊技状態におけるナビ回数を加算するか否かを延長抽選により決定する。ここで、ナビ回数が加算されることが決定されると、その加算されたナビ回数が擬似ボーナス遊技カウンタに設定される。
【０２２１】
（ステップＳ１３０４−１２）
続いて、副遊技状態遷移手段３３４は、副救済リール演出フラグが２または３であり、かつ、擬似ボーナス遊技が終了しているか否か判定する。その結果、副救済リール演出フラグが２または３であり、かつ、擬似ボーナス遊技が終了していれば、ステップＳ１３０４−１３に処理を移し、副救済リール演出フラグが２または３ではない、または、擬似ボーナス遊技が終了していなければ、ステップＳ１３０４−１５に処理を移す。
【０２２２】
（ステップＳ１３０４−１３）
ステップＳ１３０４−１２において副救済リール演出フラグが２または３であり、かつ、擬似ボーナス遊技が終了していると判定されれば、副遊技状態遷移手段３３４は、副救済リール演出フラグが３の場合に限り、主制御基板２００から伝達された付与当選確率を参照して、所定の遊技特典を付与するか否か決定する。こうして、擬似ボーナス遊技状態が終了していないにも拘わらず、主制御基板２００が、擬似ボーナス遊技が終了したと誤認識して救済リール演出を開始した場合にも遊技者の利益を補償することができる。
【０２２３】
（ステップＳ１３０４−１４）
続いて、副遊技状態遷移手段３３４は、副救済リール演出フラグを０にリセットする。
【０２２４】
（ステップＳ１３０４−１５）
続いて、副遊技状態遷移手段３３４は、擬似ボーナス遊技中に外部信号がＯＦＦされ、かつ、当選種別コマンドに救済リール付与抽選の結果が示され、それが所定の遊技特典を付与しないことが決定されているか否か判定する。その結果、外部信号がＯＦＦされ、かつ、所定の遊技特典を付与しないことが決定されていれば、ステップＳ１３０４−１６に処理を移し、外部信号がＯＮである、または、所定の遊技特典を付与することが決定されていれば、当該抽選処理Ｓ１３０４を終了する。
【０２２５】
（ステップＳ１３０４−１６）
ステップＳ１３０４−１５において外部信号がＯＦＦされ、かつ、所定の遊技特典を付与しないことが決定されていると判定されれば、副遊技状態遷移手段３３４は、主制御基板２００から伝達された付与当選確率に対応する移行当選確率を参照して、ノーマル通常遊技状態およびチャンス通常遊技状態のいずれに移行するかを通常遊技状態移行抽選により決定し、当該抽選処理Ｓ１３０４を終了する。
【０２２６】
（演出決定処理Ｓ１３０５）
図２３は、上記ステップＳ１３０５の演出決定処理を示したフローチャートである。
【０２２７】
（ステップＳ１３０５−１）
演出決定手段３３６は、ステップＳ１３０４−１において擬似ボーナス遊技の実行が決定され、かつ、当選種別コマンドに示される当選種別が当選種別「ボーナスリプレイ１」または当選種別「ボーナスリプレイ２」であるか否か判定する。その結果、擬似ボーナス遊技の実行が決定され、当選種別が当選種別「ボーナスリプレイ１」または当選種別「ボーナスリプレイ２」であれば、ステップＳ１３０５−２に処理を移し、擬似ボーナス遊技の実行が決定されていない、または、当選種別が当選種別「ボーナスリプレイ１」および当選種別「ボーナスリプレイ２」のいずれでもなければ、ステップＳ１３０５−３に処理を移す。
【０２２８】
（ステップＳ１３０５−２）
ステップＳ１３０５−１において擬似ボーナス遊技の実行が決定され、当選種別が当選種別「ボーナスリプレイ１」または当選種別「ボーナスリプレイ２」であると判定されれば、演出決定手段３３６は、決定された擬似ボーナス遊技に対応する当選役（ビッグボーナス遊技では当選種別「ボーナスリプレイ１」に対して当選役「ビッグリプレイ」、レギュラーボーナス遊技では当選種別「ボーナスリプレイ２」に対して当選役「レギュラーリプレイ」）の入賞条件となる操作態様を報知する。
【０２２９】
（ステップＳ１３０５−３）
続いて、副遊技状態遷移手段３３４は、擬似ボーナス遊技が開始されたか、すなわち、擬似ボーナス遊技中であるか否か判定する。その結果、擬似ボーナス遊技中であれば、ステップＳ１３０５−４に処理を移し、擬似ボーナス遊技中でなければ、当該演出決定処理Ｓ１３０５を終了する。
【０２３０】
（ステップＳ１３０５−４）
続いて、演出決定手段３３６は、当選種別コマンドに示される当選種別が当選種別「打順ベル」であるか否か判定する。その結果、当選種別が当選種別「打順ベル」であれば、ステップＳ１３０５−５に処理を移し、当選種別が当選種別「打順ベル」でなければ、ステップＳ１３０５−６に処理を移す。
【０２３１】
（ステップＳ１３０５−５）
ステップＳ１３０５−４において当選種別が当選種別「打順ベル」であると判定されれば、演出決定手段３３６は、その当選種別「打順ベル」の正解操作態様を報知する（補助演出）。
【０２３２】
（ステップＳ１３０５−６）
次に、演出決定手段３３６は、当選種別コマンドに示される当選種別が当選種別「特殊リプレイ１」であるか否か判定する。その結果、当選種別「特殊リプレイ１」であれば、ステップＳ１３０５−７に処理を移し、当選種別「特殊リプレイ１」でなければ、ステップＳ１３０５−１０に処理を移す。
【０２３３】
（ステップＳ１３０５−７）
次に、演出決定手段３３６は、ステップＳ１３０４−８における遊技特典付与抽選において所定の遊技特典を付与することを決定したか否か判定する。その結果、所定の遊技特典を付与することを決定していれば、ステップＳ１３０５−８に処理を移し、所定の遊技特典を付与することを決定していなければ、ステップＳ１３０５−９に処理を移す。
【０２３４】
（ステップＳ１３０５−８）
ステップＳ１３０５−７において所定の遊技特典を付与することを決定していると判定されれば、演出決定手段３３６は、当選役「特殊リプレイ１」の入賞条件となる操作態様を報知する。
【０２３５】
（ステップＳ１３０５−９）
ステップＳ１３０５−７において所定の遊技特典を付与することを決定していないと判定されれば、演出決定手段３３６は、当選役「通常リプレイ」の入賞条件となる操作態様を報知する。
【０２３６】
（ステップＳ１３０５−１０）
続いて、演出決定手段３３６は、当選種別コマンドに示される当選種別が当選種別「特殊リプレイ２」であるか否か判定する。その結果、当選種別「特殊リプレイ２」であれば、ステップＳ１３０５−１１に処理を移し、当選種別「特殊リプレイ２」ではなければ、ステップＳ１３０５−１２に処理を移す。
【０２３７】
（ステップＳ１３０５−１１）
ステップＳ１３０５−１０において当選種別「特殊リプレイ２」であると判定されれば、演出決定手段３３６は、当選役「特殊リプレイ２」の入賞条件となる操作態様を報知する。
【０２３８】
（ステップＳ１３０５−１２）
次に、演出決定手段３３６は、主制御基板２００から伝達された付与当選確率を参照し、複数段階（ここでは５段階）の背景のうち、その付与当選確率に対応する背景を決定する。遊技者は、かかる背景により、その時点の付与当選確率を把握することができる。
【０２３９】
（ステップＳ１３０５−１３）
続いて、演出決定手段３３６は、主制御基板２００から伝達された救済リール演出抽選の抽選結果を参照し、救済リール演出が実行されることを示唆する演出を決定し、当該演出決定処理Ｓ１３０５を終了する。
【０２４０】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【０２４１】
例えば、上述した実施形態においては、所定の遊技特典として、擬似ボーナス遊技状態が通常遊技状態から移行したものであれば、通常ＡＴ遊技（ノーマルＡＴ遊技）を付与し、通常ＡＴ遊技状態から移行したものであれば、通常ＡＴ遊技（ノーマルＡＴ遊技）の継続回数を加算（上乗せ）する例を挙げた。しかし、かかる場合に限らず、所定のナビ回数の擬似ボーナス遊技自体を付与する等、様々な遊技上の特典を付与することができる。
【０２４２】
また、上述した実施形態においては、救済リール演出を行う所定の契機としてスタートスイッチ１２８の操作を挙げているが、かかる場合に限らず、ベットスイッチ１２６やストップスイッチ１３０、演出スイッチ１３２等、様々なスイッチを用いることができる。また、上述した実施形態では、擬似ボーナス遊技状態に移行する前の遊技状態に拘わらず救済リール演出を行うとしているが、通常遊技状態から移行した場合にのみ行い、通常ＡＴ遊技状態から移行した場合には実行しないとしてもよい。
【０２４３】
また、上述した実施形態では、救済リール演出の結果として、「ＢＡＲ」図柄を有効ラインＡ上と、仮想ラインＣ１上の２つのラインに仮停止する例を挙げて説明したが、いずれか一方のラインのみに表示するとしてもよく、この場合、１つのラインに表示された場合と２つのラインに表示された場合に遊技利益が異なる（例えば、２つのラインに表示されると１つのラインに表示されるより遊技利益が大きい）としてもよい。
【０２４４】
また、上述した実施形態では、当選確率抽選を主制御基板２００の当選種別抽選手段３０４で実行しているが、かかる場合に限らず、副制御基板２０２の副遊技状態遷移手段３３４等、様々な機能部で行うことができる。
【０２４５】
また、上述した実施形態においては、図９や図１０に示すように、当選役「特殊リプレイ１」、当選役「特殊リプレイ２」、当選役「ビッグリプレイ」、当選役「レギュラーリプレイ」等をそれぞれ異なる当選種別に割り当てたが、それぞれの当選役から選択された１〜４の当選役を１の当選種別に割り当てるとしてもよい。この場合、当選した擬似ボーナス遊技に応じて報知する操作態様を異ならせることで、表示する当選役を特定することができる。
【０２４６】
また、上述した実施形態においては、救済リール演出で所定の遊技特典が付与された場合、「ＢＡＲ」図柄の組み合わせを、図柄表示窓１３６内で直線的に表示する例を挙げて説明しているが、かかる場合に限らず、小Ｖ字形（左リール１３４ａの上段、中リール１３４ｂの中段、右リール１３４ｃの上段に停止する図柄に対応する位置を結んだライン）、大Ｖ字形（左リール１３４ａの上段および中段、中リール１３４ｂの下段、右リール１３４ｃの中段および上段に停止する図柄に対応する位置を結んだライン）、への字形（左リール１３４ａの下段、中リール１３４ｂの中段、右リール１３４ｃの下段に停止する図柄に対応する位置を結んだライン）等、遊技特典の当選を把握できる態様で規則的に表示されればよい。
【０２４７】
また、上述した実施形態において、通常ＡＴ遊技状態は、設定された継続回数に到達することで終了し、また、擬似ボーナス遊技状態は、設定されたナビ回数に到達したことで終了する旨、説明したが、かかる場合に限らず、補助演出を受け得る各遊技状態（通常ＡＴ遊技状態、擬似ボーナス遊技状態）は、設定された継続回数に到達したこと、設定されたナビ回数に到達したこと、設定された払出枚数に到達したこと、または設定された獲得枚数（払出枚数−投入枚数）に到達したこと等、補助演出を受け得る様々な遊技機会の消化により終了するとしてもよい。また、上述した実施形態においては、補助演出を受け得る各遊技状態において、継続回数の上乗せ抽選が行われ、当選することで継続回数が延長される旨、説明したが、かかる場合に限らず、補助演出を受け得る様々な遊技機会の数を増減したり、変更したりする等、その遊技状態の終了条件を変更する様々な抽選を行うことができる。
【０２４８】
また、上述した主制御基板２００および副制御基板２０２が行う各処理は、必ずしもフローチャートとして記載された順序に沿って時系列に処理する必要はなく、並列的あるいはサブルーチンによる処理を含んでもよい。
【符号の説明】
【０２４９】
１００  スロットマシン（遊技機）
１２６  ベットスイッチ
１２８  スタートスイッチ
１３０  ストップスイッチ
１３４ａ、１３４ｂ、１３４ｃ  回転リール
３０２  ベット手段
３０４  当選種別抽選手段
３０６  リール制御手段
３１０  払出制御手段
３１４  コマンド決定手段
３１６  コマンド送信手段
３３４  副遊技状態遷移手段
３３８  演出実行手段
【図１】
2015112163.tif 000003
【図２】
2015112163.tif 000004
【図３】
2015112163.tif 000005
【図４】
2015112163.tif 000006
【図５】
2015112163.tif 000007
【図６】
2015112163.tif 000008
【図７】
2015112163.tif 000009
【図８】
2015112163.tif 000010
【図９】
2015112163.tif 000011
【図１０】
2015112163.tif 000012
【図１１】
2015112163.tif 000013
【図１２】
2015112163.tif 000014
【図１３】
2015112163.tif 000015
【図１４】
2015112163.tif 000016
【図１５】
2015112163.tif 000017
【図１６】
2015112163.tif 000018
【図１７】
2015112163.tif 000019
【図１８】
2015112163.tif 000020
【図１９】
2015112163.tif 000021
【図２０】
2015112163.tif 000022
【図２１】
2015112163.tif 000023
【図２２】
2015112163.tif 000024
【図２３】
2015112163.tif 000025
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
遊技に関するコマンドを決定し、決定されたコマンドを送信する主制御基板と、
前記主制御基板から前記コマンドを受信し、受信したコマンドに応じて処理を実行する副制御基板と、
を備え、
前記主制御基板と前記副制御基板との前記コマンドを含む情報の交換が、該主制御基板から該副制御基板への一方向のみに制限された遊技機であって、
前記主制御基板は、
遊技に使用するための遊技媒体をベットするベット手段と、
遊技媒体をベットした後、スタートスイッチの操作に基づき、少なくとも小役およびリプレイ役を含む複数種類の当選役から選択された１からなるまたは複数重複してなる複数種類の当選種別のいずれかを当選種別抽選により決定する当選種別抽選手段と、
前記スタートスイッチの操作に応じて、複数種類の図柄がそれぞれ配列された複数の回転リールを回転制御し、回転している回転リールに対応したストップスイッチの操作に応じ、前記当選種別抽選手段の抽選結果に基づいて、操作された該ストップスイッチに対応する回転リールをそれぞれ停止制御するリール制御手段と、
前記当選種別抽選で決定した小役の入賞に基づいて、当該小役に対応する遊技媒体を払い出す払出制御手段と、
前記当選種別抽選手段の抽選結果を示す当選種別コマンドを含む複数のコマンドを決定するコマンド決定手段と、
決定されたコマンドを前記副制御基板に送信するコマンド送信手段と、
を備え、
前記副制御基板は、
前記ストップスイッチに対する複数の操作態様のうちの所定の操作態様である正解操作態様が入賞条件として設定された当選役と他の当選役とが重複した選択当選種別の当選に応じて該正解操作態様を報知する補助演出を含む演出を実行する演出実行手段と、
前記補助演出を行う擬似ボーナス遊技状態を含む複数の遊技状態から１の遊技状態を決定する副遊技状態遷移手段と、
を備え、
前記当選種別抽選手段は、前記複数の回転リールそれぞれにおいて特定の図柄が図柄表示窓内に表示される停止態様となる図柄組み合わせが少なくとも対応付けられた特典付与当選役と他の当選役とが重複した特典付与当選種別を当選種別抽選により決定し、
前記副遊技状態遷移手段は、前記擬似ボーナス遊技状態を決定した後、該擬似ボーナス遊技状態の開始条件を満たしてから、終了条件を満たすまでの擬似ボーナス遊技状態中に、前記特典付与当選種別の当選に応じて、所定の遊技特典を付与するか否かを遊技特典付与抽選により決定し、
前記擬似ボーナス遊技状態中に、前記当選種別抽選手段が前記遊技特典付与抽選により所定の遊技特典を付与することが決定されると、前記演出実行手段は、前記特典付与当選種別が当選した遊技で、前記特典付与当選役の入賞条件となる操作態様を報知し、
前記選択当選種別に当選した遊技のうち、前記正解操作態様による操作が行われる遊技が所定の回数連続してから、前記正解操作態様による操作が行われない遊技が所定の回数連続するまでの間に、前記特典付与当選種別に当選した遊技において前記特典付与当選役の入賞条件となる操作態様が１度も行われなかった場合、前記所定の遊技特典を付与するか否かを救済リール演出抽選により決定し、前記リール制御手段は、所定の契機に応じて、前記複数の回転リールを回転させ、該救済リール演出抽選により所定の遊技特典の付与が決定されていれば、該複数の回転リールそれぞれにおいて前記特定の図柄を前記図柄表示窓内に表示し、該所定の遊技特典の付与が決定されていなければ、該複数の回転リールのうち少なくとも１つの回転リールにおいて該特定の図柄を該図柄表示窓内に表示するとともに、該複数の回転リールのうち少なくとも１つの回転リールにおいて該特定の図柄を該図柄表示窓内に表示しない救済リール演出を行うことを特徴とする遊技機。
【請求項２】
前記演出実行手段は、前記擬似ボーナス遊技状態中に前記救済リール演出が実行されると、該救済リール演出が無効であることを報知することを特徴とする請求項１に記載の遊技機。
【手続補正２】
【補正対象書類名】明細書
【補正対象項目名】０００９
【補正方法】変更
【補正の内容】
【０００９】
上記課題を解決するために、本発明の遊技機は、遊技に関するコマンドを決定し、決定されたコマンドを送信する主制御基板と、主制御基板からコマンドを受信し、受信したコマンドに応じて処理を実行する副制御基板と、を備え、主制御基板と副制御基板とのコマンドを含む情報の交換が、主制御基板から副制御基板への一方向のみに制限された遊技機であって、主制御基板は、遊技に使用するための遊技媒体をベットするベット手段と、遊技媒体をベットした後、スタートスイッチの操作に基づき、少なくとも小役およびリプレイ役を含む複数種類の当選役から選択された１からなるまたは複数重複してなる複数種類の当選種別のいずれかを当選種別抽選により決定する当選種別抽選手段と、スタートスイッチの操作に応じて、複数種類の図柄がそれぞれ配列された複数の回転リールを回転制御し、回転している回転リールに対応したストップスイッチの操作に応じ、当選種別抽選手段の抽選結果に基づいて、操作されたストップスイッチに対応する回転リールをそれぞれ停止制御するリール制御手段と、当選種別抽選で決定した小役の入賞に基づいて、当該小役に対応する遊技媒体を払い出す払出制御手段と、当選種別抽選手段の抽選結果を示す当選種別コマンドを含む複数のコマンドを決定するコマンド決定手段と、決定されたコマンドを副制御基板に送信するコマンド送信手段と、を備え、副制御基板は、ストップスイッチに対する複数の操作態様のうちの所定の操作態様である正解操作態様が入賞条件として設定された当選役と他の当選役とが重複した選択当選種別の当選に応じて正解操作態様を報知する補助演出を含む演出を実行する演出実行手段と、補助演出を行う擬似ボーナス遊技状態を含む複数の遊技状態から１の遊技状態を決定する副遊技状態遷移手段と、を備え、当選種別抽選手段は、複数の回転リールそれぞれにおいて特定の図柄が図柄表示窓内に表示される停止態様となる図柄組み合わせが少なくとも対応付けられた特典付与当選役と他の当選役とが重複した特典付与当選種別を当選種別抽選により決定し、副遊技状態遷移手段は、擬似ボーナス遊技状態を決定した後、擬似ボーナス遊技状態の開始条件を満たしてから、終了条件を満たすまでの擬似ボーナス遊技状態中に、特典付与当選種別の当選に応じて、所定の遊技特典を付与するか否かを遊技特典付与抽選により決定し、擬似ボーナス遊技状態中に、当選種別抽選手段が遊技特典付与抽選により所定の遊技特典を付与することが決定されると、演出実行手段は、特典付与当選種別が当選した遊技で、特典付与当選役の入賞条件となる操作態様を報知し、選択当選種別に当選した遊技のうち、正解操作態様による操作が行われる遊技が所定の回数連続してから、正解操作態様による操作が行われない遊技が所定の回数連続するまでの間に、特典付与当選種別に当選した遊技において特典付与当選役の入賞条件となる操作態様が１度も行われなかった場合、所定の遊技特典を付与するか否かを救済リール演出抽選により決定し、リール制御手段は、所定の契機に応じて、複数の回転リールを回転させ、救済リール演出抽選により所定の遊技特典の付与が決定されていれば、複数の回転リールそれぞれにおいて特定の図柄を図柄表示窓内に表示し、所定の遊技特典の付与が決定されていなければ、複数の回転リールのうち少なくとも１つの回転リールにおいて特定の図柄を図柄表示窓内に表示するとともに、複数の回転リールのうち少なくとも１つの回転リールにおいて特定の図柄を図柄表示窓内に表示しない救済リール演出を行うことを特徴とする。